(57)【要約】【課題】相手先情報にその相手先とのコミュニケーション時の自己の感情などの動的情報を関連付けて蓄積し、当該動的情報をも考慮した検索を可能にする。【解決手段】クライアント端末の情報入力部１０４を通じてユーザが入力した情報、あるいは、生体情報収集部１０１を通じて取得した情報に基づいて、コミュニケーションを行う相手先を特定し、当該コミュニケーション時における、少なくとも、ユーザの１種類以上の生体情報を生体情報収集部１０１により検出し、特定した相手先の識別情報と、検出した生体情報、あるいは、検出した生体情報を感情情報評価部１０２において解析することにより得られる感情状態を示す情報をサーバ装置２に送信し、これらをアドレス情報データベース２０３に蓄積し、感情状態を示す情報をも考慮した検索をできるようにする。【選択図】図１
2005044120.tif 000002
【特許請求の範囲】
【請求項１】
コミュニケーションをとっている相手先を特定する相手先特定手段と、
ユーザと前記相手先とがコミュニケーションをとっている間において、当該ユーザの生体情報を検出する生体情報検出手段と、
前記生体情報検出手段により検出された前記生体情報と前記生体情報を解析することにより得られる感情状態を示す情報との一方または両方と、前記相手先特定手段により特定される前記相手先の識別情報とを関連付けて蓄積する蓄積手段と
を備えることを特徴とする情報蓄積装置。
【請求項２】
請求項１に記載の情報蓄積装置であって、
検索条件の入力を受け付ける検索条件受付手段と、
前記蓄積手段に蓄積されている相手先毎の前記生体情報あるいは前記感情状態を示す情報の少なくとも一方に基づいて、前記検索条件受付手段を通じて受け付けた前記検索条件に合致する相手先を検索する検索手段と、
前記検索手段により検索された相手先に関する情報を通知する通知手段と
を備えることを特徴とする情報蓄積装置。
【請求項３】
少なくとも、コミュニケーションをとっている間において検出されたユーザの生体情報と前記生体情報を解析することにより得られる感情状態を示す情報との一方または両方と、当該コミュニケーションの相手先の識別情報とを関連付けて蓄積しているデータベースの検索装置であって、
検索条件の入力を受け付ける検索条件受付手段と、
前記データベースに蓄積されている相手先毎の前記生体情報あるいは前記感情状態を示す情報の少なくとも一方に基づいて、前記検索条件受付手段を通じて受け付けた前記検索条件に合致する相手先を検索する検索手段と、
前記検索手段により検索された相手先に関する情報を通知する通知手段と
を備えることを特徴とする情報検索装置。
【請求項４】
コミュニケーションをとっている相手先を特定する相手先特定ステップと、
ユーザと前記相手先とがコミュニケーションをとっている間において、当該ユーザの生体情報を検出する生体情報検出ステップと、
前記生体情報検出ステップにおいて検出した前記生体情報と前記生体情報を解析することにより得られる感情状態を示す情報との一方または両方と、前記相手先特定ステップにおいて特定した前記相手先の識別情報とを関連付けて記憶部に蓄積する蓄積ステップと
を有することを特徴とする情報蓄積方法。
【請求項５】
請求項４に記載の情報蓄積方法であって、
検索条件の入力を受け付ける検索条件受付ステップと、
前記記憶部に蓄積されている相手先毎の前記生体情報あるいは前記感情状態を示す情報の少なくとも一方に基づいて、前記検索条件受付ステップを通じて受け付けた前記検索条件に合致する相手先を検索する検索ステップと、
前記検索ステップにおいて検索された相手先に関する情報を通知する通知ステップと
を備えることを特徴とする情報蓄積方法。
【請求項６】
少なくとも、コミュニケーションをとっている間において検出されたユーザの生体情報と前記生体情報を解析することにより得られる感情状態を示す情報との一方または両方と、当該コミュニケーションの相手先の識別情報とを関連付けて蓄積しているデータベースの検索方法であって、
検索条件の入力を受け付ける検索条件受付ステップと、
前記データベースに蓄積されている相手先毎の前記生体情報あるいは前記感情状態を示す情報の少なくとも一方に基づいて、前記検索条件受付ステップにおいて受け付けた前記検索条件に合致する相手先を検索する検索ステップと、
前記検索ステップにおいて検索された相手先に関する情報を通知する通知ステップと
を有することを特徴とする情報検索方法。
【請求項７】
クライアント装置とサーバ装置とが所定のネットワークを通じて接続されて形成される情報蓄積システムであって、
前記クライアント装置は、
当該クライアント装置のユーザがコミュニケーションをとっている相手先を特定する相手先特定手段と、
前記ユーザと前記相手先とがコミュニケーションをとっている間において、当該ユーザの生体情報を検出する生体情報検出手段と、
前記相手先特定手段により特定された前記相手先の識別情報を前記サーバ装置に送信する相手先情報送信手段と、
前記生体情報検出手段により検出された、少なくとも、前記生体情報と前記生体情報を解析することにより得られる感情状態を示す情報との一方または両方を前記サーバ装置に送信する感情情報送信手段と
を備え、
前記サーバ装置は、
前記クライアント装置からの前記相手先の識別情報を受信する識別情報受信手段と、
前記クライアント装置からの、少なくとも、前記生体情報と前記感情状態を示す情報との一方または両方を受信する感情情報受信手段と、
前記識別情報受信手段を通じて受け付けた前記相手先の識別情報と、前記感情情報受付手段を通じて受け付けた前記生体情報と前記感情状態を示す情報の一方または両方とを関連付けて蓄積する蓄積手段と
を備えることを特徴とする情報蓄積システム。
【請求項８】
請求項７に記載の情報蓄積システムであって、
前記クライアント装置は、
検索条件の入力を受け付ける検索条件受付手段と、
前記検索条件受付手段を通じて受け付けた前記検索条件を前記サーバ装置に送信する検索条件送信手段と、
前記サーバ装置から返信されてくる検索結果を受信する検索結果受信手段と、
前記検索結果受信手段を通じて受信した前記検索結果を通知する通知手段と
を備え、
前記サーバ装置は、
前記クライアント装置からの前記検索条件を受信する検索条件受信手段と、
前記蓄積手段に蓄積されている相手先毎の前記生体情報あるいは前記感情状態を示す情報の少なくとも一方に基づいて、前記検索条件受信手段を通じて受信した前記検索条件に合致する相手先を検索する検索手段と、
前記検索手段からの検索結果を前記クライアント装置に送信する検索結果送信手段と
を備えることを特徴とする情報蓄積システム。
【請求項９】
クライアント装置とサーバ装置とが所定のネットワークを通じて接続されて形成される情報検索システムであって、
前記サーバ装置は、ユーザが所定の相手先とコミュニケーションをとっている間において検出された当該ユーザの生体情報と前記生体情報を解析することにより得られる感情状態を示す情報との一方または両方と、当該コミュニケーションの相手先の識別情報とを関連付けて蓄積しているデータベースを備えたものであり、
前記クライアント装置は、
検索条件の入力を受け付ける検索条件受付手段と、
前記検索条件受付手段を通じて受け付けた前記検索条件を前記サーバ装置に送信する検索条件送信手段と、
前記サーバ装置から返信されてくる検索結果を受信する検索結果受信手段と、
前記検索結果受信手段を通じて受信した前記検索結果を通知する通知手段と
を備え、
前記サーバ装置は、
前記クライアント装置からの前記検索条件を受信する検索条件受信手段と、
前記記憶部に蓄積されている相手先毎の前記生体情報あるいは前記感情状態を示す情報の少なくとも一方に基づいて、前記検索条件受信手段を通じて受信した前記検索条件に合致する相手先を検索する検索手段と、
前記検索手段からの検索結果を前記クライアント装置に送信する検索結果送信手段と
を備えることを特徴とする情報検索システム。
【請求項１０】
クライアント装置とサーバ装置とが所定のネットワークを通じて接続されて形成される情報蓄積システムの前記クライアント装置であって、
前記クライアント装置のユーザがコミュニケーションをとっている相手先を特定する相手先特定手段と、
前記ユーザと前記相手先とがコミュニケーションをとっている間において、当該ユーザの生体情報を検出する生体情報検出手段と、
前記相手先特定手段により特定された前記相手先の識別情報を前記サーバ装置に送信する相手先情報送信手段と、
前記生体情報検出手段により検出された前記生体情報と前記生体情報を解析することにより得られる感情状態を示す情報との一方または両方を前記サーバ装置に送信する感情情報送信手段と
を備えることを特徴とするクライアント装置。
【請求項１１】
請求項１０に記載のクライアント装置であって、
検索条件の入力を受け付ける検索条件受付手段と、
前記検索条件受付手段を通じて受け付けた前記検索条件を前記サーバ装置に送信する検索条件送信手段と、
前記サーバ装置から返信されてくる検索結果を受信する検索結果受信手段と、
前記検索結果受信手段を通じて受信した前記検索結果を通知する通知手段と
を備えることを特徴とするクライアント装置。
【請求項１２】
クライアント装置とサーバ装置とが所定のネットワークを通じて接続されて形成される情報検索システムの前記クライアント装置であって、
前記サーバ装置は、当該クライアント装置のユーザが所定の相手先とコミュニケーションをとっている間において検出された、当該ユーザの生体情報と前記生体情報を解析することにより得られる感情状態を示す情報との一方または両方と、当該コミュニケーションの相手先の識別情報とを関連付けて蓄積しているデータベースを備えたものであり、
検索条件の入力を受け付ける検索条件受付手段と、
前記検索条件受付手段を通じて受け付けた前記検索条件を前記サーバ装置に送信する検索条件送信手段と、
前記サーバ装置から返信されてくる検索結果を受信する検索結果受信手段と、
前記検索結果受信手段を通じて受信した前記検索結果を通知する通知手段と
を備えることを特徴とするクライアント装置。
【請求項１３】
クライアント装置とサーバ装置とが所定のネットワークを通じて接続されて形成される情報蓄積システムの前記サーバ装置であって、
前記クライアント装置から送信されてくる、前記クライアント装置のユーザがコミュニケーションをとった相手先の識別情報を受信する識別情報受信手段と、
前記クライアント装置から送信されてくる、当該コミュニケーション時に検出される生体情報と前記生体情報を解析することにより得られる感情状態を示す情報との一方または両方を受信する感情情報受信手段と、
前記識別情報受信手段を通じて受け付けた前記相手先の識別情報と、前記感情情報受付手段を通じて受け付けた前記生体情報と前記感情状態を示す情報の一方または両方とを関連付けて記憶部に蓄積する蓄積手段と
を備えることを特徴とするサーバ装置。
【請求項１４】
請求項１３に記載のサーバ装置であって、
前記クライアント装置からの検索条件を受信する検索条件受信手段と、
前記記憶部に蓄積されている相手先毎の前記生体情報あるいは前記感情状態を示す情報の少なくとも一方に基づいて、前記検索条件受信手段を通じて受信した前記検索条件に合致する相手先を検索する検索手段と、
前記検索手段からの検索結果を前記クライアント装置に送信する検索結果送信手段と
を備えることを特徴とするサーバ装置。
【請求項１５】
クライアント装置とサーバ装置とが所定のネットワークを通じて接続されて形成される情報検索システムの前記サーバ装置であって、
前記サーバ装置は、前記クライアント装置のユーザが所定の相手先とコミュニケーションをとっている間において検出された、少なくとも、当該ユーザの生体情報と前記生体情報を解析することにより得られる感情状態を示す情報との一方または両方と、当該コミュニケーションの相手先の識別情報とを関連付けて蓄積しているデータベースを備えたものであり、
前記クライアント装置からの前記検索条件を受信する検索条件受信手段と、
前記データベースに蓄積されている相手先毎の前記生体情報あるいは前記感情状態を示す情報の少なくとも一方に基づいて、前記検索条件受信手段を通じて受信した前記検索条件に合致する相手先を検索する検索手段と、
前記検索手段からの検索結果を前記クライアント装置に送信する検索結果送信手段と
を備えることを特徴とするサーバ装置。
【発明の詳細な説明】
【技術分野】
【０００１】
この発明は、例えば、パーソナルコンピュータ、携帯電話端末、ＰＤＡ（Personal Digital Assistant）などの情報機器において用いられているいわゆるアドレス帳データ、電話帳データなどの相手先情報を有効に活用できるように構成して利用できるようにする装置、方法、システムに関する。
【背景技術】
【０００２】
パーソナルコンピュータ、携帯電話端末、ＰＤＡなどの情報機器においては、友人や知人、あるいは取引先など、ユーザ（使用者）がコミュニケーションをとる可能性のある相手先の氏名、住所、電話番号、ファックス番号、電子メールアドレスなどからなる、いわゆるアドレス帳データや電話帳データなどと呼ばれる相手先情報を登録して管理することが行われている。なお、ここでコミュニケーションという文言は、特定の刺激によって互いにある意味内容を交換することをいい、気持ちや意見を言葉などの刺激を通じて相手に伝えるようにする種々のものが含まれるものである。
【０００３】
この場合の相手先情報は、上述のように、氏名や住所などの文字情報であり、一度登録してしまえば、引越しするなどの特別な事情がない限り変化することのないいわゆる静的な情報である。したがって、目的とする相手先の電話番号や電子メールアドレスを知りたい場合には、目的とする相手の氏名などを入力して検索したり、相手先情報の一覧リストを表示し、これをスクロールさせて検索したりすることになる。
【０００４】
しかしながら、よく電話をかける相手先や特定の取引先などの比較的に優先順位の高い相手先であっても、また、あまり連絡を取らなくなった友人であっても、同じレベルで検索の対象となり、目的とする相手先情報を迅速に検索することができない場合もある。
【０００５】
そこで、電話帳データなどの相手先情報の使い勝手を向上させるようにするため、特許文献１（特開平１１−０５５３８９号公報）には、通信用途や日時情報などを基にして、相手先情報の優先順位を切り替えるようにし、優先順位の高い相手先の相手先情報を迅速に利用できるようにする技術が開示されている。
【０００６】
上述の特許文献１は以下の通りである。
【特許文献１】特開平１１−０５５３８９号公報
【発明の開示】
【発明が解決しようとする課題】
【０００７】
ところで、上述した特許文献１に記載の技術の場合には、通信用途や通信の日時情報に基づいて、通信の相手先として優先度の高い相手先の情報を迅速に利用することができるので非常に便利である。しかしながら、多数の相手先の情報が登録されたアドレス帳データや電話帳データなどの相手先情報の中から、例えば、映画に一緒に行く友人を選び出したい場合などにおいては、上述した特許文献１に記載の技術では、自分にあった友人を選び出すことができない。
【０００８】
このような場合には、ユーザは、アドレス帳データや電話帳データを１件づつチェックしながら、過去の記憶に基づいて、例えば、映画が好きな友人であって、しかも自分と映画の好みが合い、安心して付き合える友人を選ぶことになるために時間がかかってしまう。また、人間の記憶はあいまいであり、記憶は時間の経過と共に薄れていくので、自分に合った相手を確実に選ぶことは難しい。
【０００９】
そこで、相手とのコミュニケーションを通じて立ち上がった自己の感情や気分を、その相手の電話帳データやアドレスデータなどの相手先情報の１つとして記憶保持できるようにすることが考えられる。この場合には、相手とのコミュニケーション時に少なくとも自己の映像や音声を記録するようにしたり（共有体験の記録）、体験時あるいは体験後に言語情報としてメモをとったりすることが考えられる。このように、コミュニケーション時における自己の感情や気分の履歴をとり、これを電話帳データやアドレスデータと関連付けるようにすることが考えられる。
【００１０】
しかし、この方法の場合には、コミュニケーション時における自己の気分や感情の履歴と、電話帳データやアドレス帳データに登録された相手先の人物との関連付けを保つことは困難である。また、映像や音声を記録するようにした場合には、データ量が増えるし、それらの情報から自己の感情や気分を把握することも難しい。
【００１１】
また、上述もしたように、人間の記憶はあいまいであることから、体験した感覚を言語として残す時点で思い違いによる誤入力も発生する可能性がある。このように、人間の感情や気分をアドレス情報データや電話帳データなどの相手先情報（データベース）に反映させるようにすることは難しい。
【００１２】
以上のことにかんがみ、この発明は、相手先情報にその相手先とのコミュニケーション時の自己の感情などの動的情報を関連付けて蓄積することによりデータベースを構築し、また、構築したデータベースを利用できるようにする装置、方法、システムを提供することを目的とする。
【課題を解決するための手段】
【００１３】
上記課題を解決するため、請求項１に記載の発明の情報蓄積装置は、
コミュニケーションをとっている相手先を特定する相手先特定手段と、
ユーザと前記相手先とがコミュニケーションをとっている間において、当該ユーザの生体情報を検出する生体情報検出手段と、
前記生体情報検出手段により検出された前記生体情報と前記生体情報を解析することにより得られる感情状態を示す情報との一方または両方と、前記相手先特定手段により特定される前記相手先の識別情報とを関連付けて蓄積する蓄積手段と
を備えることを特徴とする。
【００１４】
この請求項１に記載の情報蓄積装置によれば、コミュニケーションの相手先についての取得した情報に基づいて、コミュニケーションを行う相手先が相手先特定手段により特定され、また、当該コミュニケーション時におけるユーザの生体情報が、生体情報検出手段により検出されて、特定された相手先の識別情報と、検出された生体情報、あるいは、生体情報を解析することにより得られる感情状態を示す情報が関連付けられて、これらが蓄積手段により蓄積される。
【００１５】
これにより、コミュニケーションを行った相手先については、そのコミュニケーション時の自己の生体情報や感情状態を示す情報に基づいて、その相手先に対する感情状態や気分などを客観的に把握することができるようにされる。
【００１６】
また、請求項２に記載の発明の情報蓄積装置は、請求項１に記載の情報蓄積装置であって、
検索条件の入力を受け付ける検索条件受付手段と、
前記蓄積手段に蓄積されている相手先毎の前記生体情報あるいは前記感情状態を示す情報の少なくとも一方に基づいて、前記検索条件受付手段を通じて受け付けた前記検索条件に合致する相手先を検索する検索手段と、
前記検索手段により検索された相手先に関する情報を通知する通知手段と
を備えることを特徴とする。
【００１７】
この請求項２に記載の発明の情報蓄積装置によれば、検索条件受付手段を通じて、検索条件が受け付けられ、この検索条件に合致する相手先が、検索手段により、生体情報あるいは感情状態を示す情報の少なくとも一方に基づいて検索され、この検索結果が通知手段を通じてユーザに通知される。
【００１８】
これにより、例えば、落ち着いてコミュニケーションをとれる相手先をピックアップしたり、楽しくコミュニケーションを取れる相手先をピックアップしたりするなど、従来は用いることができなかった、生体情報や感情状態を示す情報などの動的な情報をも用いた新たな態様の検索を行うことができるようにされる。
【００１９】
また、請求項３に記載の発明は、
少なくとも、コミュニケーションをとっている間において検出されたユーザの生体情報と前記生体情報を解析することにより得られる感情状態を示す情報との一方または両方と、当該コミュニケーションの相手先の識別情報とを関連付けて蓄積しているデータベースの検索装置であって、
検索条件の入力を受け付ける検索条件受付手段と、
前記データベースに蓄積されている相手先毎の前記生体情報あるいは前記感情状態を示す情報の少なくとも一方に基づいて、前記検索条件受付手段を通じて受け付けた前記検索条件に合致する相手先を検索する検索手段と、
前記検索手段により検索された相手先に関する情報を通知する通知手段と
を備えることを特徴とする。
【００２０】
この請求項３に記載の発明の情報検索装置によれば、コミュニケーションをとっている間に検出された生体情報、あるいは、その生体情報を解析することにより得られる感情状態を示す情報と、当該コミュニケーションの相手先の識別情報とが関連付けられて蓄積されているデータベースが作成されている。このデータベースを利用するものが、請求項３に記載の情報検索装置である。
【００２１】
そして、検索条件受付手段を通じて、検索条件が受け付けられ、この検索条件に合致する相手先が、検索手段により、生体情報あるいは感情状態を示す情報の少なくとも一方に基づいて検索され、この検索結果が通知手段を通じてユーザに通知される。
【００２２】
これにより、例えば、落ち着いてコミュニケーションをとれる相手先をピックアップしたり、楽しくコミュニケーションを取れる相手先をピックアップしたりするなど、従来は用いることができなかった、生体情報や感情状態を示す情報などの動的な情報をも用いた検索を行うことができるようにされる。
【発明の効果】
【００２３】
この発明により、少なくとも、生体情報、あるいは、感情状態を示す情報を、コミュニケーションの相手先を管理する相手先情報の１つとするデータベースを構築することにより、個人の体験で立ち上がる感情、抱いた感情を、コミュニケーションを行った人物（相手先）と関連付けて管理することができる。
【００２４】
また、相手先情報の１つであるコミュニケーション時の自己の感情や気分をも考慮した柔軟性のある情報検索（相手先検索）が可能となる。すなわち、これは、相手先情報のデータベース内の管理情報にユーザの生体情報や感情状態などの動的な情報による意味付けをすることになり、検索精度の向上も期待できる。
【発明を実施するための最良の形態】
【００２５】
以下、図を参照しながら、この発明による装置、方法、システムの一実施の形態について説明する。以下の実施の形態においては、次の順序にしたがって説明する。
【００２６】
１：第１の実施の形態（情報蓄積検索システムについて）
１−１：情報蓄積検索システム（データベース構築利用システム）の概要  
１−２：クライアント端末の構成について    
１−３：記録装置部１１の構成例について
１−４：感情解析処理部１２０における感情解析の一例について
１−５：サーバ装置の構成について
１−６：情報蓄積検索システムの動作について
１−６−１：動作具体例１（電話コミュニケーション時の例）
１−６−２：動作具体例２（野外体験コミュニケーション時の例）
１−７：情報検索システムの動作について
１−７−１：検索の具体例
２：第２の実施の形態（情報蓄積検索装置について）
２−１：情報蓄積検索装置の構成について
２−２：情報蓄積検索装置の動作について
３：まとめ
４：変形例について
５：その他
【００２７】
［１：第１の実施の形態（情報蓄積検索システムについて）］
まず、この発明による情報蓄積検索システム、情報検索システム、情報蓄積方法、情報検索方法、クライアント装置、サーバ装置の一実施の形態が適用されて形成された情報蓄積検索システム（データベース構築利用システム）について説明する。
【００２８】
この発明の一実施の形態が適用された情報蓄積検索システムは、家庭内などの閉じたエリア内において、いわゆるローカルエリアネットワークシステムとして形成することも可能であるが、ここでは、まず、公衆電話網やインターネットなどの広域通信ネットワークを介在させて形成する場合を例にして説明する。
【００２９】
［１−１：情報蓄積検索システム（データベース構築利用システム）の概要］
図１は、この実施の形態の情報蓄積検索システムを説明するための図である。この実施の形態の情報蓄積検索システムは、図１に示すように、公衆電話網やインターネットなどの広域通信ネットワーク５に対して、クライアント端末１ａ、１ｂ、１ｃ、…とサーバ装置２とが接続されて形成される。
【００３０】
各クライアント端末１ａ、１ｂ、１ｃ、…は、この発明によるクライアント装置が適用されたものであり、そのそれぞれがほぼ同様の構成を有するものである。言うまでも無く、各クライアント端末１ａ、１ｂ、１ｃ、…のそれぞれは、独立に機能し、同時に通信ネットワーク５に接続して通信処理を行うことができるものである。また、サーバ装置２は、この発明によるサーバ装置が適用されたものである。
【００３１】
さらに、図１に示すように、通信ネットワーク５には、認証局３が接続されていると共に、競技場、ホール、映画館、美術館などに設置され、それらの場所で提供されるコンテンツについての情報を提供する例えばパーソナルコンピュータなどの端末装置が情報提供機関４として通信ネットワーク５に接続することもできるようにされている。
【００３２】
この実施の形態の情報蓄積検索システムにおいて、サーバ装置２は、例えば契約関係にある多数のユーザのクライアント端末１ａ、１ｂ、１ｃ、…のそれぞれにおいて別個に用いられるアドレス帳データ（アドレス情報）を管理するものである。クライアント端末１ａ、１ｂ、１ｃ、…のユーザは、自己のクライアント端末でアドレス帳データを管理する必要が無く、また、同じユーザであれば、携帯電話端末とパーソナルコンピュータというように、複数のクライアント端末からでも、サーバ装置２で管理される自己のアドレス帳データを用いることができるようにされる。
【００３３】
したがって、サーバ装置２においては、クライアント端末のユーザ毎にアドレス帳データというデータベースを一元的に管理しており、契約関係のないクライアント端末や、あるいは、契約関係があるユーザのクライアント端末であっても、異なるユーザのアドレス帳データは利用できないように、種々のセキュリティ上の方策や、データの暗号化などの方策を講じているものである。
【００３４】
そして、この実施の形態の情報蓄積検索システムのサーバ装置２は、相手先の氏名、住所、電話番号、ファックス番号、電子メールアドレスなどの、基本的に決まってしまえば変化することのない静的な情報のみを管理するものではない。コミュニケーションをとった相手先に対するユーザ（クライアント端末の使用者であってサーバ装置２との契約者）の当該コミュニケーション時の感情状態を示す情報などの常に変化する可能性のあるいわゆる動的な情報をも、コミュニケーションの相手先に関連付けて管理することができるものである。
【００３５】
このため、この実施の形態のクライアント装置１ａ、１ｂ、１ｃ、…のそれぞれは、電話を介して話しをしたり、直接会って話しをしたり、電子メールを作成したりするなど、目的とする相手と何らかのコミュニケーションをとるようにした場合に、その相手先を認識して特定し、特定した相手先をサーバ装置２に通知することができるものである。
【００３６】
さらに、クライアント端末１ａ、１ｂ、１ｃ、…のそれぞれは、コミュニケーションをとっている間における当該クライアント端末１ａ、１ｂ、１ｃ、…のそれぞれのユーザの生体情報を検出し、この検出した生体情報を解析することにより当該ユーザの感情状態を検出して、この感情状態を示す情報をサーバ装置２に通知することができるものである。
【００３７】
このようにして、サーバ装置２においては、相手先のアドレス帳データと当該相手先に対するユーザの感情状態を示す情報とを管理することができるようにしている。そして、この実施の形態のクライアント端末１ａ、１ｂ、１ｃ、…のそれぞれは、単に、目的とする相手先の電話番号を知るために、サーバ装置２のアドレス帳データを検索するなどという従来からの使用態様に加えて、相手に対する自己の感情状態をも考慮して、アドレス帳データから、例えば映画を一緒に鑑賞するのに適した友人を選択する場合などの新たな使用態様をも提供できるようにしている。
【００３８】
このように、クライアント端末１ａ、１ｂ、１ｃ、…のそれぞれは、一般のユーザ（エンドユーザ）に利用される装置である。これらクライアント端末１ａ、１ｂ、１ｃ、…のそれぞれのメモリーには、クライアント端末１ａ、１ｂ、１ｃ、…のそれぞれのユーザに割り当てられた固有の識別子であるユーザＩＤが登録されており、クライアント端末１ａ、１ｂ、１ｃ、…のそれぞれ、および、そのユーザを識別することができるようにされている。
【００３９】
このように、この実施の形態の情報蓄積検索システムにおいて用いられるクライアント端末１ａ、１ｂ、１ｃ、…のそれぞれは、サーバ装置２との間においてトランザクション処理を行うことによって、相手とのコミュニケーションを通じた感情状態を示す情報（感情情報）をアドレス帳の人物と関連付けて管理するクライアントアプリケーションを実現するようにしている。
【００４０】
クライアント端末１ａ、１ｂ、１ｃ、…のそれぞれにおいては、図１において、クライアント端末１ａの部分に示したように、生体情報収集部１０１、感情情報評価部１０２、通信情報収集部１０３、情報入力部１０４、情報出力部１０５、通信処理部１０６、外部機器接続部１０７を備えることにより、クライアントアプリケーションを実現するようにしている。各部の機能の概要は以下の通りである。
【００４１】
すなわち、生体情報収集部１０１は、入力が生体信号である場合に、生体信号の増幅やＡ／Ｄ（アナログ／デジタル）変換やサンプリング処理等を行う部分である。例えば、脳波、心拍数、血圧、皮膚電気抵抗、発汗、体温などのユーザの身体自体が、自発的、誘発的に生じさせる情報を収集すると共に、ユーザの画像や音声から、視覚的情報、あるいは、聴覚的情報として、ユーザの表情や姿勢、音声の抑揚などを収集する。
【００４２】
また、感情情報評価部１０２は、生体信号を感情モデルに入力し感情解析を行うことによって、ユーザの感情状態を評価する。視覚的情報、聴覚的情報については画像認識、音声認識などの認識処理を行うことによって、感情状態を評価するようにしている。
【００４３】
また、通信情報収集部１０３は、目的とする相手先との間で通信を行った場合において、通信の開始時刻や終了時刻、通信量等の必要情報を抽出、収集するものである。通信情報収集部１０３は、コミュニケーション中に発生する以下の情報を収集する。
【００４４】
通信情報収集部１０３は、例えば、電話、電子メール、チャットなどにおける情報交換の開始時刻、終了時刻、通信先などを収集し、これらをコミュニケーションの頻度情報、すなわち、通話や電子メール交換、交わした会話などの頻度情報として利用できるようにする。これにより、どの時間帯で誰とのコミュニケーションが活発であるか、相手への依存性や相手からの依存性などを評価することができるようにしている。
【００４５】
また、通信情報収集部１０３は、電話、電子メール、チャットなどにおける会話量、音声レベル、文字数などを収集し、コミュニケーションの量、すなわち、通話中の発言、メール受発信などの量あるいは通話中の単位時間あたりの会話時間をコミュニケーションに関する情報として利用できるようにする。これにより、１回のコミュニケーションにおける情報交換量から関係の疎密度などを評価する    ことができるようにしている。
【００４６】
また、この実施の形態のクライアント端末において、通信情報収集部１０３は、ＧＰＳ（Global Positioning System）などの現在位置測位システムや気温センサ（温度センサ）が当該クライアント端末に搭載されている場合、あるいは、当該クライアント端末の近傍に存在する場合には、これらからの現在位置情報や気温情報、さらには、例えば、通信ネットワーク５上に設けられる気象情報提供機関が提供する気象情報などを収集し、コミュニケーション時の環境情報として利用することができるようにしている。これにより、コミュニケーションの相手（人物）と場所、コミュニケーションの相手（人物）と天候といった後において検索条件として用いることが可能な情報を収集することができるようにしている。
【００４７】
また、情報入力部１０４は、ユーザからの種々の情報入力(生体信号、テキスト、音声、画像など)を受け付けるものである。この情報入力部１０４は、アドレス帳データについての検索を行うための検索条件などの入力についても受け付けることができるものである。
【００４８】
また、情報出力部１０５は、入力を受け付けた情報や、感情情報評価手段の評価結果、現在の感情や気分の評価結果、後述もするようにサーバ装置２における検索処理の検索結果など、クライアント端末のユーザに通知すべき種々の情報を表示したり、音声として放音したりするなどして、ユーザに通知するようにするものである。
【００４９】
また、通信処理部１０６は、通信ネットワーク５を通じて通信回線を接続する相手先、例えば、通話などのコミュニケーションの相手先、サーバ装置２、情報提供機関４などとの間で、情報の送信／受信を行うようにする部分である。
【００５０】
また、外部機器接続部１０７は、パーソナルコンピュータや携帯電話などに接続するためのインターフェイスであり、具体的には、Ｂｌｕｅｔｏｏｔｈや赤外線インターフェイスなどの無線インターフェイスや、ＰＣＭＣＩＡ（Personal Computer Memory Card International Association）やＵＳＢなどの有線インターフェイスなどである。
【００５１】
一方、サーバ装置２は、図１に示したように、サーバアプリケーションを実現する処理部２０１、通信部２０２と、アドレス情報データベース２０３、公開情報データベース２４を備えたものである。
【００５２】
ここで、通信部２０２は、クライアント端末１ａ、１ｂ、１ｃ、…や、認証局３、情報提供機関４などとの間で、情報の受信／送信を行う部分である。また、処理部２０１は、クライアント端末から提供を受けた相手先情報や感情情報をアドレス情報データベース２０３に登録したり、クライアント端末からの検索要求に応じて、アドレス帳データの検索処理を行うようにしたりする部分である。
【００５３】
また、アドレス情報データベース２０３は、各クライアント端末のユーザのアドレス帳データ（アドレス情報）と、アドレス情報データベース２０３に登録された相手先とのコミュニケーション時のユーザの感情情報などを蓄積し、管理するものである。また、公開情報データベース２０４は、映画館、競技場、販売店、ホール、美術館などの情報提供機関４により提供される情報を管理するデータベースであり、管理情報として、快/不快度、リラックス/興奮度といった感情に関する目安も持ち、この情報も情報提供機関により提供される。
【００５４】
そして、上述もしたように、クライアント端末１ａ、１ｂ、１ｃ、…のそれぞれは、友人や知人などの相手先と電話をしたり、会って話しをしたり、一緒にイベントに参加したりするなどのコミュニケーションをとった場合に、そのコミュニケーション時の自己の生体情報を検出し、これを解析することにより感情状態を示す情報を得て、相手先を示す情報と、感情状態を示す情報をサーバ装置２に送信することにより、サーバ装置２において、感情状態という動的な情報を相手先と関連付けて管理することができるようにされる。
【００５５】
また、クライアント端末１ａ、１ｂ、１ｃ、…のそれぞれは、検索要求をサーバ装置２に送信することによって、映画を一緒に鑑賞するのに適した相手など、相性のよい相手を過去のコミュニケーション時の感情状態を考慮して検索するようにし、その検索結果を得ることができるようにしている。
【００５６】
なお、この実施の形態において、認証局３は、サーバ装置２からの依頼に基づいて、当該サーバ装置２にアクセスしてきたクライアント端末１ａ、１ｂ、１ｃ、…のユーザが、サーバ装置２にアクセス可能であって、情報の提供が可能な端末か否かの認証を行うものである。通常、サーバ装置２の運営者とクライアント端末１ａ、１ｂ、１ｃ、…のユーザとは、契約関係が存在し、認証局３は、サーバ装置２と契約関係にあるクライアント端末の識別情報などの登録を受け付けて、これを保持している。
【００５７】
これにより、認証局３において、サーバ装置２に対してアクセスしてきたクライアント端末のユーザが、サーバ装置２から情報の提供を受けることができるものかの認証を行うことができるようにしている。なお、この実施の形態において、クライアント端末１ａ、１ｂ、１ｃ、…のユーザは、特に示した場合を除き、サーバ装置２との間に契約関係が成立し、サーバ装置２との間で情報の送受を行うことができるものである。
【００５８】
また、情報提供機関４は、それが設置されている、あるいは、担当することになる、競技場、ホール、映画館、美術館などのチケットの売れ行きや、それらの場所で提供される催し物などのコンテンツについての関心度などについての情報を提供するものである。これらの情報をもクライアント端末のユーザに提供できるようにしておくことにより、所定の相手と一緒にコンテンツを利用するなどの場合の参考とすることができるようにしている。
【００５９】
なお、図１においては、サーバ装置２は１つしか記載しなかったが、同様のサービスを提供する複数のサーバ装置が存在する場合もある。この場合には、多数のクライアント端末からのアクセスを分散させ、良好な通信環境を確保することが可能となる。また、自宅に設置したパーソナルコンピュータを個人用のサーバ装置２として用いるようにすることも可能である。
【００６０】
［１−２：クライアント端末の構成について］
以下に、この実施の形態の情報蓄積検索システムにおけるクライアント端末１ａ、１ｂ、１ｃ、…と、サーバ装置２との構成と動作について具体的に説明する。なお、上述もしたように、クライアント端末１ａ、１ｂ、１ｃ、…のそれぞれは、同様の構成を有するものである。このため、以下においては、クライアント端末１ａ、１ｂ、１ｃ、…のそれぞれをクライアント端末１として説明する。
【００６１】
まず、この第１の実施の形態の情報蓄積検索システムで用いられるクライアント端末１について具体的に説明する。図２は、この実施の形態の情報蓄積検索システムのクライアント端末１を説明するためのブロック図である。この実施の形態の情報蓄積検索システムのクライアント端末は、例えば、パーソナルコンピュータや電子手帳、ＰＤＡなどの種々の情報処理装置に適用可能なものである。
【００６２】
図２に示すように、この実施の形態のコンテンツ端末１は、映像、音声、生体情報および感情記録装置部（以下、単に記録装置部という。）１１と、通信情報蓄積部１２と、作業ファイル１３と、入力部１４と、表示部１５、通信部１６と、外部機器インターフェイス（以下、外部機器Ｉ／Ｆという。）１７とが、制御部１８に接続されて構成されたものである。
【００６３】
制御部１８は、この実施の形態のクライアント端末１の各部を制御するものであり、ＣＰＵ（Central Processing Unit）１８１、ＲＯＭ（Read Only Memory）１８２、ＲＡＭ（Random Access Memory）１８３、ＥＥＰＲＯＭ（Electrically Erasable and Programmable ROM）１８４とがシステムバス１８５を通じて接続されて形成されたマイクロコンピュータである。
【００６４】
制御部１８のＲＯＭ１８２は、各種のプログラムや処理に必要となるデータなどが格納されたものであり、また、ＲＡＭ１８３は、各種の処理の実行時において、作業領域（ワークエリア）として用いられるものである。また、ＥＥＰＲＯＭ１８４は、いわゆる不揮発性のメモリーであり、各種のパラメータやユーザＩＤ等の常時保持しておくべきデータを記憶保持するものである。
【００６５】
記録装置部１１は、詳しくは後述もするが、ユーザの生体情報や画像、音声を継続的に収集し、この収集した生体情報などを解析することによって、ユーザの感情状態を把握するようにする部分である。通信情報蓄積部１２は、例えば、大容量記録媒体を有するハードディスクドライブなどの記録装置であり、電話やチャットなど、通信ネットワーク５を通じて相手とコミュニケーションをとった場合の通信時の情報を蓄積するものである。なお、作業ファイル１３もまた、ハードディスクドライブであり、種々の処理において作業領域として用いることができるようにされており、通信情報蓄積部１２と同一のハードディスクドライブで構成してもよい。
【００６６】
入力部１４は、例えば、文字キー、数字キー、各種ファンクションキーなどを備えたキーボードや、マウスなどのポインティングデバイス、タッチパネルなど、ユーザからの指示や情報の入力操作を受け付けるものである。受け付けられた指示や情報は、制御部１８に供給されて処理されることになる。表示部１５は、例えば、ＬＣＤ（Liquid Crystal Display）や有機ＥＬ（Organic Electro Luminescence）ディスプレイなどの表示装置であり、入力された情報や検索結果など、種々の情報をユーザに対して通知するものである。
【００６７】
通信部１６は、このクライアント端末１自身がサーバ装置２などの外部の通信機器と通信ネットワーク５を介して独自に通信を行えるようにするものであり、いわゆるモデムあるいは通信Ｉ／Ｆとしての機能を実現するものである。また、外部機器Ｉ／Ｆ１７は、携帯電話端末、ＰＤＡ、パーソナルコンピュータなどの外部機器を当該クライアント端末１に対して接続し、クライアント端末１とこれに接続された外部機器との間で、相互に情報の受け渡しを行うことができるようにするものであり、無線または有線の外部機器インターフェイスである。
【００６８】
そして、上述の説明からも分かるように、また、図２にも示したように、この実施の形態のクライアント端末１においては、記録装置部１１が、生体情報収集部１０１および感情情報評価部１０２としての機能を実現するものである。
【００６９】
また、この記録装置部１１は、生体情報、画像情報、音声情報といったユーザの感情情報を得るための情報の入力を受け付ける情報入力部１０４の一部の機能をも実現している。また、入力部１４は、ユーザからの指示や情報の入力を受け付けるものであり、この入力部１４と、記録装置部１１の情報入力機能とにより、クライアント端末１の情報入力部１０４としての機能を実現している。表示部１５は、クライアント端末１の情報出力部１０５としての機能を実現している。
【００７０】
また、制御部１８と外部機器Ｉ／Ｆ１７と通信情報蓄積部１２とにより、外部機器Ｉ／Ｆ１７に接続された携帯電話端末やパーソナルコンピュータを通じて相手先と通信を行っている場合に通信の開始時刻や終了時刻、送信データ量や受信データ量などの種々の通信に関する情報を収集して蓄積する通信情報収集部１０３としての機能を実現している。さらに、通信部１６は上述のように通信処理部１０６としての機能を実現し、外部機器Ｉ／Ｆ１７が、外部機器接続部１０７としての機能を実現している。
【００７１】
そして、上述のように、外部機器Ｉ／Ｆ１７に例えば携帯電話端末やパーソナルコンピュータなどの外部機器が接続され、電話通信やチャットなど、通信ネットワーク５を通じて相手先との間でコミュニケーションをとるようにした場合に、相手先の電話番号や名前などの入力情報に基づいて、コミュニケーションの相手先を特定する。そして、クライアント端末１の制御部１８は、外部機器Ｉ／Ｆ１７を通じて取得する情報などの通信に関する情報を通信情報蓄積部１２に蓄積すると共に、記録装置部１１を制御し、ユーザの生体情報、画像情報、音声情報を収集して、これを解析させることにより、ユーザの感情状態を示す情報（感情情報）を得るようにする。
【００７２】
そして、クライアント端末１は、電話やチャットが終了するなど、コミュニケーションが終了した場合に、そのコミュニケーションを行った相手先と関連付けて、感情情報や通信情報をサーバ装置２に送信し、サーバ装置２で管理するようにしている。また、入力部１４を通じて、サーバ装置２のアドレス情報データベース２０３に対する検索条件を入力すると、制御部１８は、入力された検索条件を含む検索要求を形成し、これを通信部１６を通じてサーバ装置２に送信することにより、サーバ装置２において検索処理を実行させるようにし、その結果の返信を受けて、これを表示部１５に表示することによりユーザに通知することができるようにしている。
【００７３】
また、この実施の形態のクライアント端末１の場合には、図２に示したように、ＧＰＳ装置１９１や気温センサ１９２などを接続することもできるようにされており、クライアント端末１を利用する場所の環境情報を収集し、これを利用することができるようにされている。
【００７４】
［１−３：記録装置部１１の構成例について］
次に、図２に示したように構成されるクライアント端末１の記録装置部１１の構成例について説明する。図３は、図２に示したクライアント端末１の記録装置部１１の構成例を説明するためのブロック図である。図３に示すように、この実施の形態のクライアント端末１の記録装置部１１は、撮像部１１１、Ａ／Ｄコンバータ１１２、撮像部信号処理部１１３、撮像部コントローラ１１４、ＣＰＵ１１５、ＲＡＭ１１６、生体情報入力部１１７、Ａ／Ｄコンバータ１１８、生体情報入力部コントローラ１１９、感情解析処理部１２０、記録部コントローラ１２１、記録部１２２、ネットワークインターフェイス（図３においてはネットワークＩ／Ｆと記載。）１２３、表示部コントローラ１２４、表示部１２５、再生処理部１２６を備え、これらがバス１７を通じて接続されて構成されたものである。
【００７５】
撮像部１１１は、レンズ機構や例えばＣＣＤ（Charge Coupled Device）のようなイメージセンサーを備え、被写体の画像を撮像し、その撮像した画像をアナログ映像信号として後段の回路に出力することができるものである。撮像部１１１からのアナログ映像信号は、Ａ／Ｄコンバータ１１２によりデジタル信号に変換され、これが撮像部信号処理部１１３に供給される。
【００７６】
撮像部信号処理部１１３は、例えば、ＭＰＥＧ（Moving Picture Experts Group）方式などの画像圧縮方式を用いて画像圧縮処理を行う。この撮像部信号処理部１１３、および、撮像部１１１、Ａ／Ｄコンバータ１１２は、主に撮像部コントローラ１１４によって制御するようにされている。すなわち、撮像部コントローラ１１４は、撮像部１１１、Ａ／Ｄコンバータ１１２、撮像部信号処理部１１３からなる撮像系を制御して、被写体の画像を適正に撮像することができるようにするものである。
【００７７】
そして、撮像部信号処理部１１３において、画像圧縮処理された後の画像データは、ＣＰＵ１１５によって、ＲＡＭ１１６が作業領域として用いられ、適切な記録フォーマットの画像データに変換される。この記録フォーマットに変換された画像データが、記録部コントローラ１２１に供給され、この記録部コントローラ１２１によって、記録部１２２のデータ格納領域に記録される。なお、記録部１２２は、例えば、ハードディスクドライブや大容量記録型光ディスクであって、記録部コントローラ１２１により、そのデバイスに適切な信号フォーマットで、前述の記録フォーマットに変換された画像データなどが記録される。
【００７８】
生体情報入力部１１７は、詳しくは後述もするが、この実施の形態のクライアント端末１のユーザの種々の生体情報を受け付ける部分である。生体情報検出部１１７で受け付けられた生体情報は、Ａ／Ｄコンバータ１１８でデジタル信号に変換され、生体信号入力部コントローラ１１９およびＣＰＵ１１５、ＲＡＭ１１６によって、適切な記録フォーマットに変換され、記録部コントローラ１２１によって、記録部１２２に記録されることになる。
【００７９】
受け付けた生体情報が例えば脳波の場合には、生体情報入力部１１７は、数マイクロボルトの電位の変化として検出される脳波情報を増幅し、数種類の周波数帯域にフィルタリング処理を行い、デジタル信号に変換され、記録部コントローラ１２１を通じて記録部１２２に記録されることになる。
【００８０】
あるいは、生体情報検出部１１７で受け付けられた生体情報は、Ａ／Ｄコンバータ１１８でデジタル信号に変換されたのち、感情解析処理部１２０に供給され、ここで後述もするように、所定の方式にしたがって感情解析を行い、この結果得られた感情状態を示す情報（感情情報）をＣＰＵ１１５、ＲＡＭ１１６によって、適切な記録フォーマットに変換し、これを記録部コントローラ１２１によって、記録部１２２に記録するようにしてもよい。
【００８１】
また、ここでは、撮像部１１１を通じて取得した被写体の画像データや生体情報入力部１１７を通じて取得したユーザの生体情報や生体情報を解析することによって得られる感情状態を示す情報を記録部１２２に記録するものとして説明したが、これに限るものではない。
【００８２】
例えば、ネットワークＩ／Ｆ１２３を通じてインターネットなどのネットワークに接続し、ネットワーク上に設けられた所定のサーバ装置に送信して、そのサーバ装置に画像データや生体情報、感情状態を示す情報を記憶保持させるようにするようにすることも可能である。同様にして、クライアント端末１とは別に設けられた記録装置にデータを記録するようにすることも可能である。
【００８３】
また、上述もしたように、感情解析処理部１２０は、例えば、生体情報入力部１１７を通じて入力を受け付けた種々の生体情報、または、記録部１２２に記録された生体情報を、後述もするが、感情モデルを解析する方法で感情状態の抽出を行う。ここで抽出された感情状態を示す情報は、サーバ装置２に送信され、感情状態をもアドレス帳データと関連付けて管理することができるようにされる。
【００８４】
再生処理部１２６は、記録部１２２から出力される画像データを再生する処理を行うものであり、画像圧縮処理された画像データの伸張処理等を行って再生用の画像データを形成することができるものである。
【００８５】
再生処理部１２６において処理された画像データは、表示部コントローラ１２４に供給される。表示部コントローラ１２４は、表示部１２５に供給する形式の画像信号を形成し、これを表示部１２５に供給する。表示部１２５は、ＬＣＤなどのディスプレイであり、表示部コントローラ１２４からの画像信号に応じた画像を自己の表示画面に表示する。
【００８６】
このように、記録装置部１１は、ユーザの生体情報の入力を受け付けて、これを記録部１２２に記録したり、また、受け付けた生体情報や記録部１２２に記録された生体情報を分析して、ユーザの感情状態を抽出したりすることができると共に、被写体の画像を撮像して、記録部１２２に記録することができるものである。したがって、細かく言えば、生体情報収集部１０１の機能は、記録装置部１１の生体情報入力部１１７あるいは撮像部１１１で実現され、また、感情情報評価部１０２の機能は、記録装置１１の感情解析処理部１２０で実現されることになる。
【００８７】
ここで、上述した生体情報入力部１１７、Ａ／Ｄコンバータ１１８、生体信号入力部コントローラ１１９のより具体的な構成例について説明する。図４に、生体情報入力部１１７、Ａ／Ｄコンバータ１１８、生体信号入力部コントローラ１１９のそれぞれについての構成例を示す。図４に示すように、ここでは、ユーザの生体情報として、脳波、心電、脈波（脈拍）、体温、筋電等を検出する場合を例にして説明する。
【００８８】
生体情報入力部１１７は、人間が自発的・誘発的に発する生体信号、この実施の形態においては、脳波、心電、脈波、体温、筋電などを検出するための電極（センサ）７１ａ、７１ｂ、７１ｃ、７１ｄ、７１ｅ、…と、検出された生体信号を増幅するための増幅部７２ａ、７２ｂ、７２ｃ、７２ｄ、７２ｅ、…とからなっている。ここで、電極７１ａ、７１ｂ、７１ｃ、７１ｄ、７１ｅ、…は脳波をはじめとする生体電気現象や脳磁気をはじめとする生体磁気現象を測定（検出）する機能を有する。
【００８９】
電極７１ａ、７１ｂ、７１ｃ、７１ｄ、７１ｅ、…を通じて検出するようにされた各生体情報は、対応する増幅部７２ａ、７２ｂ、７２ｃ、７２ｄ、７２ｅ、…に供給され、ここで増幅され、増幅後に、Ａ／Ｄコンバータ１１８に供給される。この実施の形態においては、Ａ／Ｄコンバータ１１８は、図４に示すように、供給される生体情報に応じた複数個のＡ／Ｄコンバータ８１ａ、８１ｂ、８１、８１ｄ、８１ｅ、…を備えたものであり、供給される生体情報（アナログ信号）をデジタル信号に変換する。
【００９０】
例えば、脳波の電位レベルは一般には５０μＶ（マイクロボルト）程度、心電の電位レベルは１ｍＶ（ミリボルト）程度と生体信号の種類により異なる。このため、各Ａ／Ｄコンバータ８１ａ、８１ｂ、８１ｃ、８１ｄ、８１ｅ、…においてのＡ／Ｄ変換時の量子化ビット数は、増幅された各種生体信号の電位レベルを下回らない程度の精度を有するようにされている。
【００９１】
そして、Ａ／Ｄ変換された後の各生体情報は、生体情報入力部コントローラ１１９に供給される。生体情報入力部コントローラ１１９は、デジタル化された各種生体信号を受信するための受信部９１と、それらの生体情報を後述の感情解析処理部１２０、記録部１２２、表示部１２５、再生処理部１２６で利用可能な信号にするための処理を行う生体信号処理部９２と、処理された生体信号をバス１２７に出力するための送信部９３とから構成される。
【００９２】
受信部９１は、もとの生体信号が再現される程度の間隔のデジタル信号のサンプリング周波数を有し、Ａ／Ｄコンバータ８１ａ、８１ｂ、８１ｃ、８１ｄ、８１ｅ、…から出力される生体情報を受信して、これを後段の生体信号処理部９２に供給する。
【００９３】
生体信号処理部９２は、受信部９１からの生体情報の供給を受けて、供給を受けた生体情報のそれぞれについて、例えば振幅調整や帯域通過のためのフィルタ演算処理、ＦＦＴやウェーブレット解析をはじめとする時間−周波数解析、あるいは、ニューラルネットやカオス解析をはじめとする非線形解析などを行って、後段の感情解析処理部１２０、記録部１２２、表示部１２５、再生処理部１２６で利用可能な形式の信号に変換し、変換後の生体情報（生体信号）を送信部９３に供給する。
【００９４】
送信部９３は、バス１２７に対し逐次適切なタイミングで、上述のように処理されて形成された生体信号を出力し、上述もしたように、記録部コントローラ１２１を通じて記録部１２２に記録するようにしたり、また、感情解析処理部１２０に供給して、生体情報の解析を行うようにし、感情状態を抽出したりするなどの処理が行われることになる。
【００９５】
［１−４：感情解析処理部１２０における感情解析の一例について］
次に、図３に示したように構成される記録装置部１１の感情解析処理部１２０において行われる解析処理の一例について説明する。感情解析処理部１２０は、図４に示したように構成される、生体情報入力部１１７、Ａ／Ｄコンバータ１１８、生体情報入力部コントローラ１１９を通じて、測定（検出）され、デジタル化され、必要な信号処理や解析処理が行われて得られた複数の生体情報が入力される。
【００９６】
感情解析処理部１２０には、生体情報入力部コントローラ１１９からバス１２７を通じて生体情報が供給される場合もあれば、記録部１２２に記憶された生体情報が、記録部コントローラ１２１を通じて読み出されて、これがバス１２７を通じて供給される場合もある。また、ネットワークＩ／Ｆ１２３を通じて外部機器や外部サーバに記憶するようにした生体情報の供給を受けることもできるようにされている。
【００９７】
感情解析処理部１２０では、複数の生体情報の入力を受け付けて、これらの複数の入力を元に解析処理を行い、感情モデルで定義される複数の感情パラメータ値を出力する。感情モデルとしては、２軸モデル、３軸モデル、６軸モデルがある。これらのモデルの一例を図５に示す。
【００９８】
２軸モデルは、最も簡易なモデルであり、図５Ａに示すように、例えば、感情状態として、快適方向または不快方向を示す第１軸と、興奮、緊張方向またはリラックス方向を示す第２軸との２軸により、感情モデルを形成し、感情状態を把握するようにするものである。
【００９９】
３軸モデルは、図５Ｂに示すように、感情状態として、快適方向または不快方向を示す第１軸と、興奮方向または沈静方向を示す第２軸と、緊張方向または弛緩方向を示す第３軸との３軸により、感情モデルを形成し、感情状態を把握するようにするものである。
【０１００】
６軸モデルは、図５Ｃに示すように、怒りの度合いを示す第１軸と、恐れの度合いを示す第２軸と、悲しみの度合いを示す第３軸と、喜びの度合いを示す第４軸と、嫌悪の度合いを示す第５軸と、驚きの度合いを示す第６軸との６軸により、感情モデルを形成し、感情状態を把握するようにするものである。
【０１０１】
そして、感情解析処理部１２０は、上述した感情モデルのいずれかを用いるようにし、例えば、学習済み、あるいは、ユーザ個別に再学習を行った３層バックプロバゲーション、自己組織化マップ（SOM : Self Organizing Map）等のニューラルネットワークの手法を利用して、入力を受け付けた複数種類の生体情報から感情パラメータの解析処理を行って、感情パラメータ値を求めることになる。
【０１０２】
このように、この実施の形態のクライアント端末１の記録装置部１１の感情解析処理部１２０においては、所定の感情モデルとニューラルネットワークの手法を用いて、複数種類の生体情報を解析することによって、それらの生体情報の提供元であるユーザの感情状態を感情パラメータ値として把握することが可能となる。
【０１０３】
そして、例えば、喜びの感情が表れている期間、悲しみの感情が表れている期間、怒りの感情が表れている期間、恐れの感情が表れている期間などを把握することができるようにされる。そして、例えば、１週間、６ヶ月などの所定期間におけるユーザの感情分布、すなわち、喜びの感情が何％、悲しみの感情が何％というように、各感情の分布を把握するなどのことも可能となる。
【０１０４】
また、生体情報を用いた感情状態の解析の具体例としては、以下のように、種々のものが考えられる。例えば、リラックス状態の評価については、生体情報として脳波を用いることができる。一般的にはα波の周波数成分とβ波の周波数成分の比をとり、α波成分の割合が大きくなるほどリラックス状態にあることが知られている。また、呼吸や心拍の周期の安定性や脈拍の振幅増加量に基づいて、評価することも可能である。
【０１０５】
また、驚きの評価については、皮膚の電気抵抗値を用いることができる。一般的には驚きや恐怖、心配によって皮膚電気抵抗値が上昇することが知られており、この皮膚電気抵抗値によって、感情状態の１つである驚きの評価を行うことができる。また、喜びを評価する場合には、心拍数、皮膚温度（体温）、心電（心電図周波数）を用いて評価することが可能である。すなわち、喜びの感情が大きい時には、心拍数が下がり、皮膚温度が上がり、心電図周波数が上がることが知られている。
【０１０６】
また、一般に、精神的、心理的に安定な状態にある場合は、末梢血管が拡張し動脈血が流入するため、心拍数や脈拍はゆっくりとした変化を示し、体温は上昇傾向にある。逆に、精神的、心理的に高い緊張状態にある場合は、末梢血管が収縮し動脈血流入が減るため、心拍や脈拍は速まり、体温は下降傾向にある。このような生理的な変化に応じて、感情状態を評価し、把握することが可能となる。
【０１０７】
なお、上述のような生理指標とともに、表情による筋電の変化や画像による表情認識、加速度センサや傾斜センサなどによる姿勢認識、音声認識などを複合的に用いることによって、ユーザの怒りや悲しみなどの感情状態を評価するようにしてもよい。
【０１０８】
すなわち、人間の顔面の筋電の変化によって、泣いているのか、笑っているのか、怒っているのかなどを把握することが可能であるし、同様に、画像による表情認識によっても泣いているのか、笑っているのか、怒っているのかなどを把握することが可能である。
【０１０９】
また、加速度センサや傾斜センサを用いることにより、ユーザの姿勢を判断し、胸をはった状態か、前屈みの状態などかを検出することにより、感情状態を評価する場合の情報として用いることも可能である。
【０１１０】
また、音声認識の結果を感情状態を評価する場合の情報として用いることも可能である。例えば、喜んでいる場合などには、人の声は比較的に高くなり、逆に、落ち込んでいる場合などには、人の声は比較的に低くなるという傾向にあり、これを利用することにより、感情状態を評価することが可能である。また、音声信号の大きさ（レベル）に基づいて、感情状態を評価することも可能である。
【０１１１】
また、例えば、感情情報の解析技術として、特開平８−１１７１９９号公報には、脳波のα波ゆらぎを利用したニューラルネットワークによる覚醒度と気分の解析が開示されている。これは、心理学や精神生理学では覚醒度と気分の２つの軸が基本的な指標であるという知見を利用し、定量的な解析を行うようにしたものである。
【０１１２】
また、ＮＩＣＯＧＲＡＰＨ 論文集pp.17-25, 1993において表情認識の報告が行われており、また、電子情報通信学会論文集D-II Vol.J77-D-II No.8 pp.1512-1521においては音声律情報などの非言語情報からユーザの感情を認識する報告が行われている。このような種々の解析方法を利用して、ユーザの感情状態を把握するようにしてももちろんよい。
【０１１３】
上述のように、この実施の形態のクライアント端末１は、ユーザの生体情報を継続的に検出して、検出した生体情報を分析することにより感情状態を評価、把握することができるものである。そして、把握したユーザの感情状態を示す情報（感情情報）をサーバ装置に送信して、この感情状態を示す情報をアドレス帳データの相手先と関連付けて管理することを要求することができるものである。
【０１１４】
［１−５：サーバ装置の構成について］
次に、この実施の形態の情報蓄積検索システムで用いられるサーバ装置２の構成について説明する。図６は、この実施の形態の情報蓄積検索システムのサーバ装置２を説明するためのブロック図である。この実施の形態の情報蓄積検索システムのサーバ装置２は、例えば、コンピュータなどの情報処理装置として実現されるものである。
【０１１５】
図６に示すように、この実施の形態のサーバ装置２は、通信部２２と、アドレス情報データベース２３と、公開情報データベース２４とが制御部２１に接続されて構成されたものである。制御部２１は、この実施の形態のサーバ装置２の各部を制御するものであり、ＣＰＵ２１１、ＲＯＭ２１２、ＲＡＭ２１３、ＥＥＰＲＯＭ２１４とがシステムバス２１５を通じて接続されて形成されたマイクロコンピュータである。
【０１１６】
制御部２１のＲＯＭ２１２は、各種のプログラムや処理に必要となるデータなどが格納されたものであり、また、ＲＡＭ２１３は、各種の処理の実行時において、作業領域（ワークエリア）として用いられるものである。また、ＥＥＰＲＯＭ２１４は、いわゆる不揮発性のメモリーであり、各種のパラメータやユーザＩＤ等の常時保持しておくべきデータを記憶保持するものである。
【０１１７】
通信部２２は、通信ネットワーク５を通じて、クライアント端末１、認証局３。情報提供機関４などとの間に通信回線を接続し、情報の送信／受信を行うようにするものである。制御部２１は、送信すべき情報を形成したり、また、受信した情報を利用可能な形式に変換したりするなど、種々の処理を担当する。すなわち、図６にも示すように、制御部２１は、サーバ装置２の処理部２０１としての機能を実現し、通信部２２は、サーバ装置２の通信部２０２としての機能を実現している。
【０１１８】
そして、アドレス情報データベース２３、公開情報データベース２４は、いずれもハードディスクドライブなどの大容量記録媒体を備えた記録装置である。アドレス情報データベース２３、公開情報データベース２４は、図１に示したサーバ装置２のアドレス情報データベース２０３、公開情報データベース２０４に対応している。
【０１１９】
アドレス情報データベース２３は、上述もしたように、相手先の種々のアドレス帳データを管理するものであり、この実施の形態においては、アドレス情報テーブルとコミュニケーション情報テーブルの２種類のテーブルから構成される。図７は、アドレス情報データベース２３の２つのテーブルをＸＭＬ（Extensible Markup Language）により記述した例を示している。
【０１２０】
この図７に示す例のテーブルの場合、同一項目が複数個登録されていてもよい。登録内容がない場合は省略してもよい。また、アドレス情報データベースを構成する相手先（人物）の登録には任意の方法が考えられ、既存のアドレス帳の情報を用いたり、別の方法で新たに追加したり、修正したり、削除したりするなどのことができるようにされる。
【０１２１】
そして、図７Ａに示したアドレス情報テーブルにおいて、アドレス情報は、名前情報、メール情報、電話情報、Ｆａｘ（ファックス）情報および住所情報からなるものである。名前情報はアドレス帳を構成する人物の識別子であるメンバーIDと、人物名を表す氏名とおよびアプリケーションの表示などに用いるニックネームから構成される。
【０１２２】
メール情報は、コミュニケーション相手のメールアドレスを表すメールアドレスで構成される。電話情報は、自宅の電話番号を表す自宅電話番号と、勤務先の電話番号を表す勤務先電話番号と、携帯電話の電話番号を表す携帯電話番号およびポケットベルの番号を表すポケットベル番号から構成される。
【０１２３】
Ｆａｘ情報は、自宅のＦａｘ番号を表す自宅Ｆａｘ番号と勤務先のＦａｘ番号を表す勤務先Ｆａｘ番号で構成される。住所情報は、自宅の住所を表す自宅住所と勤務先の住所を表す勤務先住所から構成される。
【０１２４】
また、図７Ｂに示したコミュニケーション情報テーブルにおいて、コミュニケーション情報は、コミュニケーションＩＤ、メンバーＩＤ、種別、通信情報、環境情報および感情情報からなるものである。コミュニケーションＩＤは、相手とのコミュニケーション毎に割り当てられる固有の識別子である。メンバーＩＤは、図７Ａに示したアドレス情報テーブルのメンバーＩＤと同一のものである。これにより、アドレス情報テーブルとコミュニケーション情報テーブルとのリンクが取れるようになっている。
【０１２５】
また、種別はコミュニケーションの種別(電話、チャットなど)を表す。通信情報は、コミュニケーションの開始時刻を表す開始時刻と、コミュニケーションの終了時刻を表す終了時刻と、コミュニケーションの開始方向を表す受発信フラグと、相手の所在(自宅、勤務先など)を表す通信先と、順方向のデータ(ユーザから発信される発話数、文字数など)の発信量を表す発信量および逆方向のデータ(ユーザが受信する発話数、文字数など)を表す受信量から構成される。
【０１２６】
環境情報は、コミュニケーション中の位置を表す位置情報と、コミュニケーション中の気温を表す気温情報と、コミュニケーション中の天気を表す天気情報およびコミュニケーション中の標高を表す標高情報で構成される。感情情報は、感情モデルにより評価される快／不快の度合いを表す快−不快状態と、リラックス／興奮の度合いを表すリラックス−興奮状態から構成される。
【０１２７】
このように、この実施の形態のサーバ装置２のアドレス情報データベース２３は、一般的にアドレス帳データ（アドレス情報）と呼ばれる情報である相手先の名前や住所、電話番号といった静的な情報を管理するアドレス情報テーブルに加えて、アドレス情報テーブルに登録された相手先毎に、それらの相手先と行ったコミュニケーション時に取得した感情情報や通信情報や環境情報を対応付けて管理するためのコミュニケーション情報テーブルを設けている。
【０１２８】
このように、アドレス情報テーブルに加えて、コミュニケーション情報テーブルを設けることにより、コミュニケーション時における感情情報、通信情報、環境情報といった動的な情報についても、コミュニケーションをとった相手先に関連付けて管理することができるようにしている。
【０１２９】
また、サーバ装置２の公開情報データベース２４は、上述もしたように、映画館、競技場、販売店、ホール、美術館などの情報提供機関４により提供される情報を管理するデータベースである。図８は、公開情報データベース２４で管理される情報の構成例を説明するための図である。図８に示すように、公開情報データベース２４は、管理情報として、提供可能なサービス（コンテンツ）毎に、そのサービスがユーザの感情に与えるであろう影響の目安として、快/不快度、リラックス/興奮度といった予め評価して得られた感情情報（数値情報）を持っている。この評価情報も情報提供機関４から提供されるものである。
【０１３０】
図８に示した公開情報データベース２４において、サービス情報は、サービスＩＤ、サービス名、期間、場所、感情情報および備考が登録するようにされている。サービスＩＤは、情報提供機関４が提供するサービスに割り当てられた固有の識別子である。サービス名はクライアントアプリケーションの表示などに用いるための名称である。期間は情報提供機関４が提供する情報の有効期間を表す。
【０１３１】
したがって、提供されるサービスが映画コンテンツの提供である場合には、サービスＩＤは、サービスが映画であることを示す識別情報となり、サービス名は、映画であることを示す文字情報や映画のタイトル名となる。また、期間（有効期間）は、その映画の上映期間を示す情報となり、場所はその映画を上映する映画館の名所および住所などとなる。
【０１３２】
また、公開情報データベースの感情情報は情報提供機関４が提供する情報を体験した場合に感じる感情の目安を表す。例えば提供される情報が映画である場合は、感情情報はこの映画を視聴したときに一般的に人間が感じるであろう感情の種類や度合いを表す。あるいは、すでにこの映画を視聴した観客の評価を集計して含めるようにしてもよい。備考は情報提供機関４が独自の情報を格納するための拡張エリアである。
【０１３３】
この図８に示した公開情報データベース２４もまた、ＸＭＬにより記述した例であり、同一項目が複数個登録されていてもよい。登録内容がない場合は省略してもよい。また、公共情報データベースを構成するサービス情報の登録には任意の方法が考えられ、既存のデータベースの情報を用いたり、別の方法で新たに追加したり、修正したり、削除したりするなどができるようにされる。
【０１３４】
このように、この実施の形態のサーバ装置２は、アドレス情報データベース２３として、アドレス情報テーブルとコミュニケーション情報テーブルとを備えることにより、アドレス情報テーブルに登録された相手先に関連付けて、相手先とのコミュニケーション時のクライアント端末のユーザの感情状態を示す情報や通信情報、環境情報といった動的な情報を管理することができると共に、クライアント端末１を介して提供される検索要求に応じて、感情状態などの動的な情報をも考慮して、クライアント端末１の使用者に適した相手先を検索するなどのことができるようにしている。
【０１３５】
［１−６：情報蓄積検索システムの動作について］
次に、上述のように構成されるこの実施の形態のシステムを情報蓄積検索システムとして用いる場合におけるクライアント端末１とサーバ装置２との動作について、図９のフローチャートを参照しながら説明する。
【０１３６】
ここでは、クライアント端末１のユーザが、サーバ装置２のユーザ情報データベース２３に登録された相手先との間で何らかのコミュニケーションを行った場合に、当該コミュニケーション時のクライアント端末１のユーザの感情状態を示す情報などの動的な情報をサーバ装置２において相手先に関連付けて蓄積する場合の基本的な動作について説明する。
【０１３７】
図９は、クライアント端末１のユーザが、アドレス情報データベース２３に登録されている相手先と電話により通話を行ったり、あるいは、イベントに出かけたりするなど、何らかのコミュニケーションを行うようにした場合に、クライアント端末１とサーバ装置２とにおいて行われる処理の概要を説明するためのフローチャートである。
【０１３８】
コミュニケーションが開始するようにされると、クライアント端末１の制御部１８は、図９Ａに示す処理を開始し、図２には図示しなかったが、自己が備える時計回路、あるいは、外部機器Ｉ／Ｆ１７に接続される携帯電話端末やパーソナルコンピュータなどから提供される時刻情報からコミュニケーションの開始時刻を取得し、この開始時刻情報を含む開始時刻記録要求を生成して、通信部１６、通信ネットワーク５を介してサーバ装置２に送信する（ステップＳ１）。
【０１３９】
サーバ装置２においては、クライアント端末１などからの通信の待ち受け状態にあり、クライアント端末１からの要求を受信するとサーバ装置２の制御部２１は、図９Ｂに示す処理を開始させる。そして、サーバ装置２の制御部２１は、通信部２２を通じてクライアント端末１から送信されてくる開始時刻記録要求を受信し、これをアドレス情報データベース２３にコミュニケーション情報テーブルを形成するようにして記録するようにする（ステップＳ１１）。
【０１４０】
そして、クライアント端末１において、制御部１８は、今回のコミュニケーションの相手先を特定し、この特定結果を含む相手先要求記録要求を形成し、これを通信部１６、通信ネットワーク５を通じてサーバ装置２に送信する（ステップＳ２）。このステップＳ２においてのコミュニケーションの相手先の特定は、例えば、コミュニケーションが電話を介して行われる場合には、アドレス帳データから選択するようにした相手先の電話番号や名前、あるいは、相手先から通知するようにされる電話番号などにより特定することが可能である。
【０１４１】
また、コミュニケーションがイベントへの参加などの場合には、当該コミュニケーションの相手の顔の画像を記録装置部１１の撮像部１１１を通じて撮像してこれを画像認識するようにしたり、また、当該相手の音声を収音して、これを音声認識したりすることなどにより特定することが可能である。もちろん、クライアント端末１のユーザが、入力部１４を通じて相手先の名前や電話番号等を入力するようにし、これを相手先の特定情報とすることも可能である。
【０１４２】
サーバ装置２の制御部２１は、通信部２２を通じてクライアント端末１からの相手先情報記録要求を受信すると、提供された相手先の特定情報（例えば、電話番号や名前など、相手先を特定することが可能な情報）に基づいて、アドレス情報データベース２３の図７Ａに示したアドレス情報テーブルを参照し、メンバーＩＤを取得して、これをステップＳ１１において作成するようにしたコミュニケーション情報テーブルのメンバーＩＤ欄に記録することにより、相手先情報の記録を行う（ステップＳ１２）。
【０１４３】
そして、クライアント端末１において、制御部１８は、自機に接続するようにされた、例えば、ＧＰＳ装置１９１、気温センサ１９２などの環境情報を検出するための機器を通じて、位置、標高、気温、あるいは、天気などの環境情報を得て、これらの情報を含む環境情報記録要求を形成し、これを通信部１６、通信ネットワーク５を介してサーバ装置２に送信する（ステップＳ３）。
【０１４４】
サーバ装置２の制御部２１は、通信部２２を通じてクライアント端末１からの環境情報記録要求を受信すると、提供された環境情報をステップＳ１２においてメンバーＩＤを記録したコミュニケーション情報テーブルの該当欄に記録する（ステップＳ１３）。
【０１４５】
そして、クライアント端末１の制御部１８は、記録装置部１１を制御し、当該クライアント端末１のユーザの生体情報を計測するようにし（ステップＳ４）、計測した生体情報を解析することにより、当該クライアント端末１のユーザの感情状態を把握するようにする（ステップＳ５）。このステップＳ５の処理は、計測した生体情報に基づいて、ユーザの感情状態を解析する感情解析処理である。
【０１４６】
この後、クライアント端末１の制御部１８は、ステップＳ５において得られた解析結果を含む解析結果記録要求を形成して、これを通信部１６、通信ネットワーク５を介して、サーバ装置２に送信する（ステップＳ６）。
【０１４７】
サーバ装置２の制御部２１は、通信部２２を通じてクライアント端末１からの感情情報記録要求を受信すると、提供された感情情報をステップＳ１２においてメンバーＩＤを記録したコミュニケーション情報テーブルの該当欄に記録する（ステップＳ１４）。この実施の形態においては、図７Ｂに示したように、コミュニケーション情報テーブルには、感情状態を示す情報として、快−不快状態、リラックス−興奮状態などを示す例えば数値情報が該当欄に記録されることになる。
【０１４８】
そして、クライアント端末１の制御部１８は、コミュニケーションが継続されているか否かを判断する（ステップＳ７）。このステップＳ７の判断処理は、コミュニケーションが外部機器Ｉ／Ｆ１７に接続された電話端末を通じて行われるものである場合には、外部機器Ｉ／Ｆ１７を通じて、これに接続された電話端末の状態を確認することにより判断したり、また、コミュニケーションがイベントへの参加などの場合には、入力部１４を通じてコミュニケーションの終了指示が行われたか否かなどに基づいて判断することができる。
【０１４９】
ステップＳ７において、コミュニケーションが継続中であると判断したときには、クライアント端末１の制御部１８は、ステップＳ３からの処理を繰り返すことになる。この場合、サーバ装置２においては、ステップＳ１３とステップＳ１４の受信および記録処理を繰り返すことになる。
【０１５０】
また、ステップＳ７において、コミュニケーションは継続中ではない（コミュニケーションは終了した）と判断したときには、ステップＳ１の処理と同様に、自己が備える時計回路、あるいは、外部機器Ｉ／Ｆ１７に接続される携帯電話端末やパーソナルコンピュータなどから提供される時刻情報からコミュニケーションの終了時刻を取得し、この終了時刻情報を含む終了時刻記録要求を生成して、通信部１６、通信ネットワーク５を介してサーバ装置２に送信する（ステップＳ８）。
【０１５１】
サーバ装置２の制御部２１は、通信部２２を通じてクライアント端末１からの終了時刻記録要求を受信すると、提供された終了時刻をステップＳ１２においてメンバーＩＤを記録したコミュニケーション情報テーブルの該当欄に記録する（ステップＳ１５）。
【０１５２】
そして、クライアント端末１の制御部１８は、図９Ａに示した処理を終了し、サーバ装置２の制御部２１は、図９Ｂに示した処理を終了する。
【０１５３】
このように、この実施の形態の情報蓄積検索システムにおいては、クライアント端末１のユーザが、誰かとコミュニケーションを取った場合に、その相手先とそのコミュニケーション時における自己の感情状態などの動的な情報とを関連付けて、サーバ装置２のデータベースに蓄積するようにし、これを管理するようにすることができるようにしている。
【０１５４】
なお、ここでは、クライアント端末１からサーバ装置２に送信する記録要求には、記録する実データをも含めて送信するものとして説明したが、これに限るものではない。例えば、初めに、開始時刻などの記録すべき実データについては送らずに、記録要求だけを送信して、サーバ装置２から応答があった後に記録すべき実データを送信するようにしてもよい。
【０１５５】
また、クライアント端末１からの要求に応じてサーバ装置２が情報を正常に記録し終えた場合には、記録済応答を返信するようにし、この記録済応答をクライアント端末１が受信した場合に次の処理に進むようにしたり、また、記録済応答が所定時間内に返信されてこなかった場合には、クライアント端末１が、再度、記録要求を送信するようにしたりしてもよい。
【０１５６】
すなわち、クライアント端末１とサーバ装置２との間で送信、受信されるデータの形式は様々な形式を利用することができるし、実際の通信のシーケンスも種々の形態を取るようにすることが可能である。
【０１５７】
［１−６−１：動作具体例１（電話コミュニケーション時の例）］
次に、図９のフローチャートを用いて説明したこの実施の形態の情報蓄積検索システムの基本的な動作にしたがって行なわれるコミュニケーション時の具体的な２つ動作例について、図９のフローチャートと対応付けながら説明する。
【０１５８】
初めに、電話コミュニケーション時の動作例について説明する。この場合、クライアント端末１の外部機器Ｉ／Ｆ１７を通じて携帯電話端末等の電話機が接続され、通信の状況などをクライアント端末１が必要に応じて得ることができるようにされているものとする。
【０１５９】
電話回線が接続され、通話が開始されると、通話が開始されたことをクライアント端末１の制御部１８が、例えば、外部機器Ｉ／Ｆ１７からの信号状態に基づいて検出し、クライアント端末１は、上述もしたように、通話開始時刻を取得すると共に、こちらから電話をかけた場合は受発信フラグを発信にセットし、相手から電話がかかってきた場合は受発信フラグを受信にセットし、これら通話開始時刻、受発信フラグを記録するように、サーバ装置２に対して要求（開始時刻記録要求）を生成し、通信部１６を通じて送信する（ステップＳ１）。このように、クライアント端末１からの要求の送信やサーバ装置２などからの情報の受信は通信部１６を通じて送信される。
【０１６０】
サーバ装置２は、クライアント端末１からの開始時刻記録要求を通信部２２を通じて受信して、通話開始時刻、受発信フラグをアドレス情報データベース２３のコミュニケーション情報テーブルを形成して該当欄に記録する（ステップＳ１１）。このように、サーバ装置２におけるクライアント端末１などからの情報の受信やクライアント端末１などへの情報の送信は、通信部２２を通じて行うようにされる。
【０１６１】
そして、クライアント端末１は、通信の相手先の情報(例えば相手の電話番号)を取得し、これを相手先識別情報としてメンバーＩＤを取得して記録するように、サーバ装置２に対して要求（相手先情報記録要求）を生成して送信する（ステップＳ２）。サーバ装置２は、クライアント端末１からの相手先記録要求を受信して、相手先識別情報に基づいてアドレス情報データベース２３を参照し、当該相手先のメンバーＩＤを取得して、これをステップＳ１１で形成したコミュニケーション情報テーブルの該当欄に記録する（ステップＳ１２）。
【０１６２】
なお、クライアント端末１にけるステップＳ１の処理とステップ２の処理とを逆に行うようにすると共に、サーバ装置２におけるステップＳ１１の処理とステップ１２の処理とを逆に行うようにしてもよい。また、クライアント端末１におけるステップＳ１の処理とステップＳ２の処理とを一緒に行うようにすると共に、サーバ装置２におけるステップＳ１１の処理とステップＳ１２の処理を一緒に行うようにしてもよい。
【０１６３】
そして、クライアント端末１は、例えば、外部装置として接続されたＧＰＳ装置や気温センサなどを通じて、位置情報や気温、気象情報などからなる環境情報を収集し、これらの環境情報を記録するように、サーバ装置２に対して要求（環境情報記録要求）を生成して送信する（ステップＳ３）。サーバ装置２は、クライアント端末１からの環境情報記録要求を受信して、クライアント端末１からの環境情報をステップＳ１１で形成したコミュニケーション情報テーブルの該当欄に記録する（ステップＳ１３）。
【０１６４】
この後、クライアント端末１においては、生体情報の測定を開始する（ステップＳ４）。具体的には、生体情報として、例えば受話器部分に血流センサを置き、指先の血流を測定したり、脳波センサを額などにつけ、脳波を測定したりすることが考えられる。視覚的、聴覚的情報として、例えば会話中の音声から抑揚を抽出したり、カメラ画像から表情を認識したりすることが考えられる。
【０１６５】
ステップＳ４で得られた生体情報は、記録装置部１１の感情解析処理部１２０に入力され、ここで気分の快−不快、リラックス度−興奮度などの評価され、感情状態を示す情報が得られる（ステップＳ５）。ステップＳ５の処理により得られる感情状態を示す情報（感情の変化状態）は逐次サーバ装置２に送信するようにして、記録を要求する（ステップＳ６）。すなわち、解析結果の記録要求を生成してサーバ装置２に送信することになる。
【０１６６】
サーバ装置２は、クライアント端末１からの解析結果記録要求を受信し、電話で通話している相手先の人物と関連付けて、クライアント端末１から提供される解析結果である感情状態を示す情報をステップＳ１１で形成したコミュニケーション情報テーブルの該当欄に記録する（ステップＳ１４）。
【０１６７】
また、クライアント端末１においては、会話中に交わした単語数を抽出しカウントしたり、必要であれば相づちを検出し、これをカウントしたりすることで、相手への依存度や貢献度、相手への応答状態を評価するようにすることも可能である。また、頻出度の高い単語や専門用語などから会話内容の分野や仕事の会話なのか遊びの会話なのかを推測することもできる。そして、これらの情報についても、サーバ装置２に送信し、コミュニケーションの相手先に関連付けて記録することもできるようにされる。
【０１６８】
そして、通話が終了するまで、順次に、クライアント端末１は、環境情報の検出および環境情報記録要求の生成、送信を行い（ステップＳ３）、サーバ装置２においては、クライアント端末１からの環境情報記録要求を受信して環境情報をアドレス情報データベース２３のコミュニケーション情報テーブルに更新する（ステップＳ１３）。
【０１６９】
この後、クライアント端末１は、ユーザの生体情報を検出して（ステップＳ４）、これに基づき感情解析を行って（ステップＳ５）、この解析結果に応じて解析結果記録要求の生成、送信を行い（ステップＳ６）、サーバ装置２においては、クライアント端末１からの解析結果記録要求を受信して解析結果をアドレス情報データベース２３のコミュニケーション情報テーブルに更新する（ステップＳ１４）。
【０１７０】
このように、この実施の形態のシステムにおいては、通話が終了するまでの間において、クライアント端末１は、図９に示したステップＳ３からステップＳ６の処理を繰り返し、これに応じて、サーバ装置２は、ステップＳ１３およびステップＳ１４の処理を繰り返すことになる。
【０１７１】
そして、電話回線が解放され、通話が終了すると、通話が終了したことをクライアント端末１の制御部１８が、例えば、外部機器Ｉ／Ｆ１７からの信号状態に基づいて検出し（ステップＳ７）、クライアント端末１は、上述もしたように、通話終了時刻を取得し、通話終了時刻を記録するように、サーバ装置２に対して要求（終了時刻記録要求）を送信する（ステップＳ８）。サーバ装置２は、クライアント端末１からの終了時刻記録要求を受信して、通話終了時刻をステップＳ１１において形成したアドレス情報データベース２３の該当欄に記録する（ステップＳ１５）。
【０１７２】
これら、ステップＳ８、ステップＳ１５の処理の後、コミュニケーション時におけるクライアント端末１のユーザ感情状態を示す情報などのサーバ装置２への蓄積処理を終了する。なお、上述もしたが、各種の情報の送受信処理においては、サーバ装置２から要求された情報を正常に記録した場合に記録済応答を返信するようにし、サーバ装置２に記録を要求した情報が正常に記録するようにされるまで、記録要求を繰り返し送信するようにしてもよい。
【０１７３】
［１−６−２：動作具体例２（野外体験コミュニケーション時の例）］
次に、イベントなどの野外体験におけるコミュニケーション時の動作例について説明する。ここでは、遊園地や動物園などのいわゆるアミューズメントパークに友人と出かけた場合や、ハイキングや山登りなどの旅行に友人と出かけた場合などにおいてのこの実施の形態のシステムの動作例について説明する。しかし、この実施の形態のシステムは、野外体験時だけでなく、屋内のコンサートや映画、あるいは、将棋やチェスなどの対戦ゲーム時などの屋内におけるコミュニケーション時においても利用することができ、屋外における利用時とほぼ同様に動作するものである。
【０１７４】
この例の場合には、目的とする相手と合流した場合や目的地に到着した場合などのコミュニケーションの開始時において、クライアント端末１の入力部１４の所定の操作キーを操作することにより、コミュニケーションの開始指示を入力すると、クライアント端末１の制御部１８は、コミュニケーションが開始されたと判断し、図２には図示しなかったが、自己が備える時計回路から現在時刻を取得し、これを開始時刻として記録するようにサーバ装置２に対して要求（開始時刻記録要求）を生成して送信する（ステップＳ１）。このように、クライアント端末１からの要求の送信やサーバ装置２などからの情報の受信は通信部１６を通じて送信される。
【０１７５】
サーバ装置２は、クライアント端末１からの開始時刻記録要求を受信して、通話開始時刻を、アドレス情報データベース２３のコミュニケーション情報テーブルを形成して該当欄に記録する（ステップＳ１１）。このように、サーバ装置２におけるクライアント端末１などからの情報の受信やクライアント端末１などへの情報の送信は、通信部２２を通じて行うようにされる。
【０１７６】
そして、この例の場合には、記録装置部１１により、画像や音声が継続的に記録するようにされる。すなわち、図３には図示しなかったが、記録装置１１は、マイクロホン、音声用Ａ／Ｄコンバータ、音声信号処理部などを備え、画像と共にユーザの音声をも収音することができるものである。
【０１７７】
そして、この例の場合には、クライアント端末１は、記録装置部１１により撮影されたコミュニケーションの相手の顔画像の認識を行ったり、あるいは、マイクロホンにより収音された音声の音声認識を行ったりすることにより、コミュニケーション相手の人物を特定する。
【０１７８】
すなわち、クライアント端末１は、画像認識や音声認識による相手先特定のために用いる相手先画像データや相手先音声データなどのマッチング用データを相手先毎に固有となるメンバーＩＤに対応付けて管理しており、コミュニケーション相手の顔画像の画像認識、コミュニケーション相手の音声の音声認識により、コミュニケーション相手を特定し、そのメンバーＩＤを取得することができるようにされる。
【０１７９】
クライアント端末１は、上述のようにして認識した相手先を特定する情報（メンバーＩＤ）を記録するように、サーバ装置２に対して要求（相手先情報記録要求）を生成して送信する（ステップＳ２）。サーバ装置２は、クライアント端末１からの相手先記録要求を受信して、当該相手先のメンバーＩＤをステップＳ１１で形成したコミュニケーション情報テーブルの該当欄に記録する（ステップＳ１２）。
【０１８０】
この例においても、クライアント端末１にけるステップＳ１の処理とステップ２の処理とを逆に行うようにすると共に、サーバ装置２におけるステップＳ１１の処理とステップ１２の処理とを逆に行うようにしてもよい。また、クライアント端末１におけるステップＳ１の処理とステップＳ２の処理とを一緒に行うようにすると共に、サーバ装置２におけるステップＳ１１の処理とステップＳ１２の処理を一緒に行うようにしてもよい。
【０１８１】
そして、クライアント端末１は、例えば、外部装置として接続されたＧＰＳ装置や気温センサなどを通じて、環境情報として、野外体験先の位置情報(緯度、経度、住所など)や気象情報(天気、気温、湿度など)を収集し、これらの環境情報を記録するように、サーバ装置２に対して要求（環境情報記録要求）を生成して送信する（ステップＳ３）。サーバ装置２は、クライアント端末１からの環境情報記録要求を受信して、クライアント端末１からの環境情報をステップＳ１１で形成したコミュニケーション情報テーブルの該当欄に記録する（ステップＳ１３）。
【０１８２】
この後、クライアント端末１においては、コミュニケーションをしている相手と共通の体験をしている最中に、クライアント端末１のユーザの生体情報を計測（測定）する（ステップＳ４）。ここで、生体情報の計測は、例えば、いわゆるグローブ型のセンサ（生体情報入力部１１７としての測定装置）を用いることにより、皮膚電気抵抗や指先血流、手首からの脈拍を計測するようにしたり、あるいは、ＨＭＤ（Head Mounted Display）型（頭部装着型）のセンサ（生体情報入力部１１７としての測定装置）を用いることにより、額からの脳波、顔の表面温度などを計測したりすることが考えられる。
【０１８３】
ステップＳ４で得られた生体情報は、記録装置部１１の感情解析処理部１２０に入力され、ここで気分の快−不快、リラックス度−興奮度などの評価され、感情状態を示す情報が得られる（ステップＳ５）。ステップＳ５の処理により得られる感情状態を示す情報（感情の変化状態）は逐次サーバ装置２に送信するようにして、記録を要求する（ステップＳ６）。すなわち、解析結果の記録要求を生成してサーバ装置２に送信することになる。
【０１８４】
サーバ装置２は、クライアント端末１からの解析結果記録要求を受信し、電話で通話している相手先の人物と関連付けて、クライアント端末１から提供される解析結果である感情状態を示す情報をステップＳ１１で形成したコミュニケーション情報テーブルの該当欄に記録する（ステップＳ１４）。
【０１８５】
なお、クライアント端末１における生体情報に基づく感情状態の分析は、例えば、記録装置部１１の撮像部１１１を通じて撮影したクライアント端末１のユーザの顔の表情認識や、マイクロホンを通じて収音したクライアント端末１のユーザの音声の抑揚検出などを行って、これらの表情認識や抑揚検出などの結果をも考慮して、クライアント端末１のユーザの感情状態を分析するようにしてもよい。
【０１８６】
また、撮影した画像情報や収音した音声情報と計測した生体情報とを、それらの撮影、収音、計測の各タイミングを同期させるようにして、クライアント端末１の記録装置部１１の記録部１２２に記録保持するようにし、この記録保持するようにした情報を所定のタイミングで解析して、感情状態を示す情報を得るようにすることもできる。
【０１８７】
そして、この例の場合においても、当該野外体験が終了するまで、順次に、クライアント端末１は、環境情報の検出および環境情報記録要求の生成、送信を行い（ステップＳ３）、サーバ装置２においては、クライアント端末１からの環境情報記録要求を受信して環境情報をアドレス情報データベース２３のコミュニケーション情報テーブルに更新する（ステップＳ１３）。
【０１８８】
この後、クライアント端末１は、ユーザの生体情報を検出して（ステップＳ４）、これに基づき感情解析を行って（ステップＳ５）、この解析結果に応じて解析結果記録要求の生成、送信を行い（ステップＳ６）、サーバ装置２においては、クライアント端末１からの解析結果記録要求を受信して解析結果をアドレス情報データベース２３のコミュニケーション情報テーブルに更新する（ステップＳ１４）。
【０１８９】
このように、この実施の形態のシステムにおいては、コミュニケーションが終了するまでの間において、クライアント端末１は、図９に示したステップＳ３からステップＳ６の処理を繰り返し、これに応じて、サーバ装置２は、ステップＳ１３およびステップＳ１４の処理を繰り返すことになる。
【０１９０】
そして、この例の場合には、当該野外体験が終了した場合などコミュニケーションの終了時において、クライアント端末１の入力部１４の所定の操作キーを操作することにより、コミュニケーションの終了指示を入力すると、クライアント端末１の制御部１８は、コミュニケーションが終了したと判断し（ステップＳ７）、自己が備える時計回路から現在時刻を取得し、これを終了時刻として記録するようにサーバ装置２に対して要求（終了時刻記録要求）を生成して送信する（ステップＳ８）。
【０１９１】
サーバ装置２は、クライアント端末１からの開始時刻記録要求を受信して、通話開始時刻を、アドレス情報データベース２３のコミュニケーション情報テーブルを形成して該当欄に記録する（ステップＳ１４）。
【０１９２】
これら、ステップＳ８、ステップＳ１５の処理の後、コミュニケーション時におけるクライアント端末１のユーザ感情状態を示す情報などのサーバ装置２への蓄積処理を終了する。なお、上述もしたが、各種の情報の送受信処理においては、サーバ装置２から要求された情報を正常に記録した場合に記録済応答を返信するようにし、サーバ装置２に記録を要求した情報が正常に記録するようにされるまで、記録要求を繰り返し送信するようにしてもよい。
【０１９３】
上述した電話コミュニケーション時の動作の具体例と、野外体験コミュニケーション時の動作の具体例とから分かるように、コミュニケーションの相手先の特定の仕方や、生体情報の計測の仕方などの細かい部分は異なるが、クライアント端末１のユーザの感情状態を示す情報などをコミュニケーションの相手先と関連付けて蓄積する動作は、基本的に、図９に示したフローチャートのように行われる。
【０１９４】
また、電話コミュニケーション時の動作の具体例においては、入力した電話や相手先から送信されてくる電話番号に基づいて、相手先を特定するようにした。この場合には、電話番号の直接入力の他、アドレス情報データからの相手先の選択のような、蓄積データからの選択によって、相手先を特定するようにしてもよい。
【０１９５】
また、野外体験コミュニケーション時の動作の具体例においては、撮像部１１１を通じて取り込んだコミュニケーション相手の顔画像の認識やマイクロホンを通じて収音した音声の音声認識により、コミュニケーションの相手先を認識するものとして説明したが、これに限るものではない。クライアント端末１のユーザが入力部１４を通じて相手先を特定する情報を入力するようにしたり、アドレス帳データから選択するようにして、コミュニケーションの相手先を特定したりするようにすることもできる。
【０１９６】
また、画像認識するコミュニケーション相手の顔画像は、動画像として撮影したものの所定の１フィールド分、あるいは、複数フィールド分の画像を用いるようにしてもよいし、顔認識のために静止画を撮影するようにし、この撮影した静止画を用いて顔認識を行って、相手先を特定するようにしてもよい。
【０１９７】
なお、上述の実施形態では、１回のコミュニケーションにおいてコミュニケーションが継続中はステップＳ３からステップＳ６を繰り返すようにした。しかし、これに限るものではない。例えば、感情状態が変化した時点でサーバ装置に記録を要請したり、あるいは、コミュニケーションが終了した時点で感情解析結果の平均値をサーバ装置に送信して、これを記録したりするなど、種々の変形例が考えられる。
【０１９８】
［１−７：情報検索システムの動作について］
次に、上述のように構成されるこの実施の形態のシステムを情報検索システムとして用いる場合におけるクライアント端末１とサーバ装置２との動作について、図１０のフローチャートを参照しながら説明する。ここでは、上述もしたように、サーバ装置２に蓄積されたアドレス情報データベース２３の蓄積データであるアドレス情報テーブルおよびコミュニケーション情報テーブルをクライアント端末１から検索する場合の動作について説明する。
【０１９９】
例えば、表示部１５に実行可能な処理の一覧メニューを表示し、入力部１４を通じて当該メニューからアドレス情報の検索処理を選択することにより、まず、クライアント端末１において図１０Ａに示す処理を開始する。そして、クライアント端末１はユーザからの検索条件として、例えば、コミュニケーションを取る場所、体験するイベント名、種々のキーワード、感情状態を示す情報などを受け付ける（ステップＳ２１）。
【０２００】
ステップＳ２１においての検索条件の受け付けは、入力部１４などの操作キーや種々の態様で実現されるテキスト入力欄などのインターフェイスや表示部１５に表示されるアイコンなどのＧＵＩ（Graphical User Interface）、生体情報の計測用の電極などのインターフェイス、あるいは、撮像部１１１を通じて受け付けるユーザの画像入力やマイクロホンを通じての音声入力などを通じて、検索条件の入力を受け付けるようにすることも可能である。
【０２０１】
検索条件が入力され、検索を実行するようにする指示が与えられると、クライアント端末１は、通信部１６、通信ネットワーク５を通じてサーバ装置２を呼出し、サーバ装置２との間に通信回線を接続するようにして、図１０Ｂに示す処理を開始させるようにする。そして、クライアント端末１は、ユーザから受け付けた検索条件を含む検索要求を生成して、これをサーバ装置２に送信する（ステップＳ２２）。
【０２０２】
サーバ装置２は、クライアント端末１からの検索要求を受信し（ステップＳ３１）、検索要求に含まれる検索条件にしたがって、アドレス情報データベース２３のアドレス情報の検索を行うが、この場合にコミュニケーション情報テーブルのユーザの感情情報をも考慮して検索処理を行う（ステップＳ３２）。そして、サーバ装置２は、ステップＳ３２の検索処理により得られた検索結果を検索条件にしたがって並べ換えるなどの成形処理を施し（ステップＳ３３）、成形した検索結果を要求元のクライアント端末１に返信する（ステップＳ３４）。
【０２０３】
ステップＳ３３における成形の具体例としては、例えば、コンサートを聴いてリラックスしたい場合に、検索条件として、例えば、「コンサート」、「リラックス」などの検索条件を入力することにより、ステップＳ３２の検索処理により、今までのコミュニケーション時において、リラックス度の高い上位１０人の相手先が抽出され、これがリラックス度の高い順に並べ換えられると共に、さらに相手のアドレス情報を用いてクエリー（問い合わせ）をかけ、相手との相性と地理的な情報による検索を行うようにすることができる。
【０２０４】
クライアント端末１は、サーバ装置２からの自機宛ての検索結果を受信し（ステップＳ２３）、これを表示部１５に表示するなどしてクライアント端末１のユーザに通知するようにする（ステップＳ２４）。そして、クライアント端末１の制御部１８は、検索条件の変更入力を受け付けるようにし（ステップＳ２５）、検索条件の変更入力が行われたか否かを判断する（ステップＳ２６）。
【０２０５】
ステップＳ２６の判断処理において、例えば、検索条件が絞られるなど、検索条件が変更されたと判断した場合には、クライアント端末１の制御部１８は、ステップＳ２２からの処理を繰り返し、再度の検索処理を行うようにする。この場合には、クライアント端末１の処理に応じて、サーバ装置２におけるステップＳ３１からステップＳ３４も繰り返されることになる。
【０２０６】
ステップＳ２６の判断処理において、検索条件の変更はないと判断したときには、クライアント端末１は図１０Ａに示す処理を終了し、サーバ装置２は、図１０Ｂに示す処理を終了することになる。具体的には、クライアント端末１から通信回線を解放する処理を行うことにより、クライアント端末１とサーバ装置２との間に接続された通信回線を切断し、この図１０に示す処理が終了することになる。
【０２０７】
［１−７−１：検索の具体例］
次に、相手とのコミュニケーションを通じて構築されたアドレス情報データベース２３のデータを検索する場合のいくつかの具体例について説明する。
【０２０８】
（１）様々な状態における人物の検索の場合について  
感情情報、文字情報、画像情報、音声情報などを入力することで、今までにコミュニケーションを取った相手先であって、サーバ装置２のアドレス情報データベース２３にアドレス情報が登録されている相手先の中から、目的に応じた相手先（人物）を検索するようにすることができる。
【０２０９】
例えば、検索条件として、「相性が良い」などの条件を入力することにより、アドレス情報データベースのコミュニケーション情報テーブルの感情情報が参照され、過去のコミュニケーション時において、感情状態が、常時、リラックスしていると共に、快適度の高い相手先を抽出して、リラックス度の高い順、あるいは、精神的安定の高い順などに相手先を並べ換えて、これをクライアント端末１のユーザに提供するようにすることができる。
【０２１０】
また、検索条件として、場所とイベント内容を入力すると、過去において、同じ場所や同種のイベントにおける共同の体験時において、快適度の高い順に相手先を並べ換えて、これをクライアント端末１を通じてユーザに提供することにより、例えば、一緒に出かける相手を選択する際の参考にすることができる。具体的には、検索条件として、例えば、「場所＝渋谷」、「イベント＝ショッピング」という検索条件を入力することにより、過去に渋谷で一緒にショッピングをした相手先であって、上述した情報蓄積検索システムにより、サーバ装置２のコミュニケーション情報テーブルが形成されている相手先の中から相性の良い相手を知ることができるようにされる。
【０２１１】
また、相手の応答状態と、それに対して安心したり、リラックスしたりした感情を持った相手先を抽出し、これをリラックス度の高い順にソートして、提供することにより、悩みを相談する相手を探す場合の参考にすることができる。
【０２１２】
クライアント端末１のユーザの現在の精神状態（感情状態）あるいは現在の精神状態（感情状態）から欲すると想像される状態をもとに、そのように導くことに適切な人物を検索するようにしたり、また、野外でストレス状態にあり、気晴らしをしたいと思ったときに適度に相づちをうつ適切な人物を検索したりすることが可能となる。
【０２１３】
（２）キーワードによるクエリー（問合せ）で感情検索結果を返すようにする場合  
相手との会話、メールなどでよく交換されるキーワードを検索条件とすることにより、例えば、コミュニケーション中の快/不快の割合順に相手先を並べ換えて、その検索結果を返すことができるようにされる。
【０２１４】
（３）相手との関係性を表現する場合  
例えば、コミュニケーションの相手について、依存度、貢献度、癒し度などの度合い表示するようにすることが可能である。この場合には、アドレス情報データベース２３に登録されている相手先を指定することで、その人物との関係性をいくつかの尺度で通知するようにすることが可能である。
【０２１５】
例えば依存度は、こちらからの相談の発信件数や交換情報内の出現頻度により求めることができる。また、例えば貢献度は、相手からの相談受信件数や総応答時間により求めることができる。また、例えば癒し度は、相手の返答に対しどれだけ安心感やリラックス感を覚えたかにより求めることができる。
【０２１６】
（４）感情周期を表示する場合  
ある人物に対して抱く感情の変化を表示することが可能となる。アドレス情報データベース２３に登録されている相手先を指定することで、その相手（人物）に対する快/不快や喜怒哀楽などの感情変化が指定した時間範囲(年、月、日など)で検索され、これをクライアント端末１のユーザに通知することができる。この場合の通知形式は、例えば、棒グラフや折れ線グラフなどの統計的な表示や、キャラクタやロボットの行為などへの抽象化した表現形式などが考えられる。
【０２１７】
なお、この実施の形態においては、クライアント端末１とサーバ装置２とが、例えば、インターネットなどの広域の通信ネットワーク５を通じて接続されてシステムが構成された場合を例にして説明したが、これに限るものではない。例えば、図１１に示すように、所定のＬＡＮ（Local Area Network）６に、この発明によるクライアント端末１、サーバ装置２を接続して、いわゆるホームネットワークシステムを構築した場合にもこの発明を実現することができる。
【０２１８】
図１１において、クライアント端末１ａ、１ｂ、１ｃ、…のそれぞれは、図２、図３、図４を用いて説明したクライアント端末１とほぼ同様に構成されるものであり、サーバ装置２は、図６を用いて説明したサーバ装置２と同様に構成されるものである。そして、具体的には、図１１に示す例の場合、クライアント端末１ａ、１ｂ、１ｃ、…のそれぞれは、例えば、携帯電話端末、パーソナルコンピュータ、ＰＤＡなどの異なる電子機器や、家族のそれぞれの携帯電話端末であり、ＬＡＮ６への接続機能、ＵＳＢなどの外部機器インターフェイスを備えたものである。同様に、図１１に示したサーバ装置２もまた、ＬＡＮインターフェイスを備えたものである。ＬＡＮインターフェイスとしては、例えばＥｔｈｅｒｎｅｔ（登録商標）など種々のものを用いることが可能である。
【０２１９】
そして、各クライアント端末１ａ、１ｂ、１ｃ、…のそれぞれは、図１に示したシステムのクライアント端末と同様に、コミュニケーション時において、コミュニケーションの相手先を特定し、環境情報を収集し、ユーザの生体情報の計測と計測した生体情報の分析を行って感情情報を得て、これら特定した相手先を示す情報、環境情報、感情情報の記録要求をサーバ装置２にＬＡＮ６を通じて送信することができるものである。
【０２２０】
これに応じて、サーバ装置２は、クライアント端末１ａ、１ｂ、１ｃ、…のそれぞれからの記録要求を受信し、コミュニケーションの相手先を特定するメンバーＩＤと関連付けて、アドレス情報データベース２３に蓄積することができるものである。
【０２２１】
また、クライアント端末１ａ、１ｂ、１ｃ、…のそれぞれは、ユーザからの検索条件の入力を受け付けて、この検索条件を含む検索要求をサーバ装置２にＬＡＮ６を通じて送信し、サーバ装置２に対してアドレス情報データベースの情報検索を要求することができるものである。これに応じて、サーバ装置２は、クライアント１ａ、１ｂ、１ｃ、…のそれぞれからの検索要求を受信し、この検索要求に応じて、アドレス情報データベース２３のデータから検索条件に合致するデータを検索し、これを成形して、要求元のクライアント端末にＬＡＮ６を通じて返信することができるものである。
【０２２２】
そして、クライアント端末１ａ、１ｂ、１ｃ、…のそれぞれは、サーバ装置２からの自己宛ての検索結果を受信して、これを表示部１５を介してユーザに通知することができるものである。もちろん、サーバ装置２は、公開情報データベース２４に蓄積されているコンテンツについての公開情報をクライアント端末１に対して提供することもできるものである。
【０２２３】
このように、クライアント端末１ａ、１ｂ、１ｃ、…のそれぞれは、サーバ装置２のアドレス情報データベース２３、公開情報データベース２４を共用し、コミュニケーションの相手先と関連付けて、ユーザの感情情報や環境情報を蓄積し、管理することができるものである。
【０２２４】
そして、上述の説明からも分かるように、図１に示したシステム、図１１に示したシステムとも、サーバ装置２のアドレス情報データベース２３、公開情報データベース２４は、複数のクライアント端末を通じて利用することができるので、データの一元管理を行うことができるようにされる。
【０２２５】
このため、各クライアント端末毎にアドレス情報を重複して管理することが無く、例えば、同一ユーザが使用する、異なるクライアント端末が管理するアドレス情報にデータ不整合などを発生させることもなく、アドレス情報を常に正確に管理することができる。また、ユーザの感情状態を示す情報をもアドレス情報の各相手先に対応させて蓄積することができるので、アドレス情報の新たな利用方法を提供することができる。
【０２２６】
また、図１に示したシステムの場合も、また、図１１に示したシステムの場合も、サーバ装置２のアドレス情報データベース２３のデータは、複数のクライアント端末を通じて利用することが可能となるため、情報の漏洩や不正使用、改ざんなどに対応するためのセキュリティの問題が生じる。
【０２２７】
そこで、サーバ装置２においては、認証局３で認証されなかったクライアント端末からのアクセスには応じないことはもちろん、クライアント端末１からサーバ装置２へ送信される各種の要求や、サーバ装置２からクライアント端末１への検索結果は、例えば、暗号化処理が施されて、外部に洩れないようにされると共に、暗号解読キーを備えない場合には、暗号解読が行えず、結果として、送受信されたデータが不正に利用されたり、外部に洩れたりしないようにするなどの方策が講じられている。
【０２２８】
なお、上述した実施の形態においては、クライアント端末１において、生体情報を計測し、この計測した生体情報を分析することにより感情状態を得るようにしたが、これに限るものではない、クライアント端末１においては、コミュニケーション時において、生体情報を継続的に計測して、これを記録装置部１１の記録部１２２や、作業ファイル１３などに一時記憶し、コミュニケーション終了時などの所定のタイミングで計測し、一時記憶した生体情報をサーバ装置２に全て送信して、これをサーバ装置２側において解析し、クライアント端末１のユーザの感情状態を評価し把握するようにしてもよい。
【０２２９】
また、上述した実施の形態においては、情報蓄積検索システムは、情報の蓄積機能と情報の検索機能とを備えたものとして説明したが、情報の蓄積機能と情報の検索機能とを分離したシステム、すなわち、情報蓄積検索システムと、情報検索システムとを別々に構築することも可能である。
【０２３０】
すなわち、サーバ装置２は、上述した場合と同様に構成され、同様に動作するものとして構成すればよいが、クライアント端末１は、情報の収集機能と、情報の検索機能とを分離するようにする。したがって、情報蓄積検索システムのクライアント端末は、検索機能を備えないものであり、基本的には、図２に示したクライアント端末１と同様の構成を有するものであるが、複雑な検索条件を入力するための入力部や検索結果を見やすくユーザに提供するための表示部等は備えないものである。
【０２３１】
これに対して、情報検索システムのクライアント端末は、情報の収集機能を備えないものであり、図２に示しクライアント装置１において、記録装置部１１、通信情報蓄積部１２は備えないものであり、複雑な検索条件の入力が可能な入力部や検索結果を見やすくユーザに提供するための表示部を備えるものである。
【０２３２】
このように、情報蓄積用のクライアント端末と情報検索用のクライアント端末とを分離することにより、情報の蓄積を行わない場合にまで、記録装置部１１などを備えたクライアント端末を持ち運んで利用する必要が無くなる。そして、検索機能のみを備えた比較的に小規模なクライアント端末だけを持ち運ぶことにより、ユーザの感情情報をも考慮した新たな態様の検索処理を何処ででも行うことができる。
【０２３３】
［２：第２の実施の形態（情報蓄積検索装置について）］
上述した実施の形態においては、クライアント端末とサーバ装置とを別々に構成する場合について説明したが、クライアント端末とサーバ装置との機能を併せ持つ情報蓄積装置、情報検索装置を構成することもできる。
【０２３４】
［２−１：情報蓄積検索装置の構成について］
図１２は、この第２の実施の形態の情報蓄積検索装置７を説明するためのブロック図である。図１２に示すように、この第２の実施の形態の情報蓄積検索装置７は、図２に示したクライアント端末１に対して、アドレス情報データベース２３と公開情報データベース２４とを設けるようにしたものである。
【０２３５】
図１２において、制御部７００は、ＣＰＵ７０１、ＲＯＭ７０２、ＲＡＭ７０３、ＥＥＰＲＯＭ７０４がシステムバス７０５を通じて接続されて構成されたマイクロコンピュータであり、この情報蓄積検索装置７の各部を制御するものである。この制御部７００は、図２に示したクライアント端末１の制御部１８と、図２に示したサーバ装置２の制御部２１とを併せた機能を有するものである。
【０２３６】
また、制御部７００以外の各部分は、図１に示したクライアント端末１の対応する部分、および、図６に示したサーバ装置２の対応する部分と同様に構成されたものである。すなわち、図１２に示した情報蓄積検索装置７において、記録装置部１１は、図３に示したように構成されるものである。また、アドレス情報データベース２３は、図７に示したデータ構造のアドレス情報テーブルとコミュニケーション情報テーブルとを有するものであり、公開情報データベース２４は、図８に示したデータ構造の公開情報を有するものである。
【０２３７】
このため、図１２に示した情報蓄積検索装置７において、図１に示したクライアント端末１と同様に構成される部分、および、図６に示したサーバ装置２と同様に構成される部分には、図１に示したクライアント端末１、または、図６に示したサーバ装置２と同じ参照符号を付し、その詳細な説明については省略する。
【０２３８】
この第２の実施の形態の情報蓄積検索装置７においては、上述した第１の実施の形態のクライアント端末１の場合と同様に、制御部７００が入力部１４を通じて受け付けた入力情報や記録装置部１１を通じて取得した画像情報や音声情報に基づいて、コミュニケーションの相手先を特定し、また、制御部７００が記録装置部１１を制御して、コミュニケーション時のユーザの生体情報を計測して、この計測した生体情報を解析することにより感情情報を得る。また、例えば、外付けされたＧＰＳ装置１９１や気温センサ１９２などから環境情報を取得する。
【０２３９】
そして、情報蓄積検索装置７は、取得したコミュニケーションの相手先を特定する情報、環境情報、ユーザの感情情報を、アドレス情報データベース２３のコミュニケーション情報テーブルに蓄積する。もちろん、この場合においても、制御部７００は、例えば、電話番号などのコミュニケーションの相手先を特定する情報からコミュニケーションの相手先のメンバーＩＤを得て、このメンバーＩＤと共に各情報を蓄積することになる。このように、この第２の実施の形態の情報蓄積検索装置７は、情報蓄積装置としての機能を有するものである。
【０２４０】
さらに、この実施の形態の情報蓄積検索装置７の制御部７００は、上述した第１の実施の形態のクライアント端末１と同様に、入力部１４を通じて、検索条件の入力を受け付けて、この検索条件に基づいて、アドレス情報データベース２３のコミュニケーション情報テーブル、アドレス情報テーブルから情報を検索し、検索結果を成形して、この結果を表示部１５を通じてユーザに提供することができるものである。このように、この第２の実施の形態の情報蓄積検索装置７は、情報検索装置としての機能を有するものである。
【０２４１】
このように、情報蓄積機能と情報検索機能とを備えた情報蓄積検索装置を構成することが可能である。この情報蓄積検索装置の場合には、複数の機器でアドレス情報データベースを共用する必要のない場合に有効である。また、この場合、ネットワークを通じて通信処理を行う必要もなく、全て情報蓄積検索装置７内で処理することができるので、通信コストや情報漏洩などのセキュリティ上の問題も発生することがない。
【０２４２】
［２−２：情報蓄積検索装置の動作について］
次に、図１２に示した情報蓄積検索装置７の動作について、図１３のフローチャートを参照しながら説明する。図１３は、この第２の実施の形態の情報蓄積検索装置７の動作を説明するためのフローチャートであり、図１３Ａは情報蓄積時（データベース構築時）の動作を、また、図１３Ｂは情報検索時（データベース検索時）の動作を説明するためのものである。
【０２４３】
まず、図１３Ａのフローチャートを参照しながら、情報蓄積検索装置７の情報蓄積時の動作について説明する。この第２の実施の形態の情報蓄積検索装置７の場合にも、上述した第１の実施の形態のクライアント端末１の場合と同様に、通話開始の検出やコミュニケーション開始指示の入力を受け付けた場合に、図１３Ａに示す情報蓄積動作を開始する。
【０２４４】
まず、情報蓄積検索装置７の制御部７００は、図１２には図示しなかったが、情報蓄積検索装置７が備える時計回路などからコミュニケーション開始時刻を取得し、これをアドレス情報データベース２３にコミュニケーション情報テーブルを形成するようにして記録する（ステップＳ４１）。
【０２４５】
次に、情報蓄積検索装置７の制御部７００は、第１の実施の形態のクライアント端末１の場合と同様に、コミュニケーションの相手先を特定し、その相手先のメンバーＩＤをアドレス情報データベース２３のアドレス情報テーブルから取得して、ステップＳ４１において形成したコミュニケーション情報テーブルの該当欄に記録するようにする（ステップＳ４２）。
【０２４６】
そして、情報蓄積検索装置７の制御部７００は、第１の実施の形態のクライアント端末１の場合と同様に、現在位置や気温などの環境情報を検出し、これをステップＳ４１において形成したコミュニケーション情報テーブルの該当欄に記録するようにし（ステップＳ４３）、また、記録装置部１１を制御して、情報蓄積検索装置７のユーザの生体情報の計測を行う（ステップＳ４４）。
【０２４７】
この後、情報蓄積検索装置７は、ステップＳ４４において計測した生体情報を解析することにより、ユーザの感情情報を得て、これをステップＳ４１において形成したコミュニケーション情報テーブルの該当欄に記録する（ステップＳ４５）。そして、通話コミュニケーションの場合には通話継続中か、また、野外体験コミュニケーションの場合には、コミュニケーション終了操作が行われていないかなどを判別することにより、コミュニケーションが継続中か否かを判断する（ステップＳ４６）。
【０２４８】
ステップＳ４６の判断処理において、コミュニケーションが継続中であると判断したときには、ステップＳ４３からの処理を繰り返し、環境情報、感情情報の検出、記録処理を繰り返して情報の蓄積を行うようにする。ステップＳ４６の判断処理において、コミュニケーションが終了したと判断したときには、情報蓄積検索装置７の制御部７００は、コミュニケーションの終了時刻を検出し、これをステップＳ４１において形成したコミュニケーション情報テーブルの該当欄に記録して（ステップＳ４７）、この図１３Ａに示す処理を終了する。
【０２４９】
このようにして、この実施の形態の情報蓄積検索装置７においては、ユーザの感情情報や環境情報についても、コミュニケーションの相手先と関連付けて蓄積することができるようにしている。
【０２５０】
次に、図１３Ｂのフローチャートを参照しながら、情報蓄積検索装置７の情報検索時の動作について説明する。この第２の実施の形態の情報蓄積検索装置７の場合にも、上述した第１の実施の形態のクライアント端末１の場合と同様に、入力部１４を通じて、検索条件の入力を受け付ける（ステップＳ５１）。
【０２５１】
そして、情報蓄積検索装置７の制御部７００は、ステップＳ５１において受け付けた検索条件にしたがって、ユーザの感情情報についても考慮し、アドレス情報データベース２３に蓄積されているデータから目的とするデータの検索処理を行う（ステップＳ５２）。情報蓄積検索装置７の制御部７００は、ステップＳ５２の検索処理の結果を並べ換えるなどの成形処理を行い（ステップＳ５３）、この結果を表示部１５の表示画面に表示し、ユーザに提供するようにし（ステップＳ５４）、この図１３Ｂに示す処理を終了する。なお、この図１３Ｂに示す処理もまた、検索条件を変更して繰り返すこともできるようにされる。
【０２５２】
このようにして、この実施の形態の情報蓄積検索装置７においては、アドレス情報データベース２３に蓄積されている情報から、蓄積されているユーザの感情情報や環境情報などをも考慮した検索処理を行うことができるようにしている。これにより、第１の実施の形態のクライアント端末１の場合と同様に、ユーザからの検索条件に基づいて、相性のいい相手を検索したり選択したりすることができるようにされる。
【０２５３】
また、この第２の実施の形態の情報蓄積検索装置７は、情報の蓄積機能と情報の検索機能とを備えたものとして説明したが、情報の蓄積機能と情報の検索機能とを分離した装置、すなわち、情報蓄積装置と、情報検索装置とを別々に構築することも可能である。
【０２５４】
すなわち、情報蓄積検索装置７の情報の収集機能と情報の検索機能とを分離するようにする。したがって、情報蓄積装置は、検索機能を備えないものであり、基本的には、図１２に示した情報蓄積検索装置７と同様の構成を有するものであるが、複雑な検索条件を入力するための入力部や検索結果を見やすくユーザに提供するための表示部等は備えないものであり、また、アドレス情報データベース２３、公開情報データベース２４は、着脱可能な構成としておく。
【０２５５】
これに対して、情報検索装置は、情報の収集機能を備えないものであり、図１２に示した情報蓄積検索装置７において、記録装置部１１は備えないものであり、複雑な検索条件の入力が可能な入力部や検索結果を見やすくユーザに提供するための表示部を備えるものであり、アドレス情報データベース２３、公開情報データベース２４の着脱が可能な構成としておく。
【０２５６】
このようにしておくことにより、情報蓄積装置と情報検索装置とを別個独立に構成し、そのそれぞれを別々に使用することができるようにされる。したがって、検索に対応可能なアドレス情報データベースをまず構築しようとする場合には、情報蓄積装置を用いてアドレス情報データベースを構築するようにする。そして、検索に対応可能なアドレス情報データベースが構築された後に、構築されたアドレス情報データベースを情報検索装置に装着して、情報の検索処理を行うようにすることが可能である。
【０２５７】
なお、この第２の実施の形態においても、生体情報の計測と、生体情報の解析とは同時並行的に行うものとして説明したが、これに限るものではない。例えば、コミュニケーション時においては、生体情報を計測して、これを記録装置部１１の記録部１２２に蓄積するようにし、コミュニケーション終了時に蓄積した生体情報を一括解析してコミュニケーション時のユーザの感情情報を得るようにしてもよい。
【０２５８】
［３：まとめ］
このように、上述した第１、第２の実施の形態においては、感情情報を用いたいわゆるアドレス帳のデータベース構築が可能となり、名前や電話番号等の静的な情報の管理に限られていたアドレス情報に対して、実際の人間関係を反映させることができるようにされる。また、複数の機器から感情情報を利用したデータベースの検索と結果表示が行え、データベースの管理や利用、さらに操作について柔軟性を持たせることができる。
【０２５９】
また、柔軟性のある検索を行うことが可能となる。すなわち、入力手段のひとつに生体情報を設けることで、個人の体験で立ち上がる感情をコミュニケーション中の人物と関連付けて管理することができる。その結果、感情や気分に応じた柔軟性のある検索が可能となる。これは、データベース内の管理情報に感情による意味付けをすることになり、検索精度の向上も期待できる。
【０２６０】
また、関係性の表示などの通知を行うようにすることができる。コミュニケーション対象の相手との関係性を視覚的に表示するなどことができる。その結果、情報の提供先、入手先の的確な判断が支援でき、その後の自らの行動に役立てることができる。
【０２６１】
また、場所や時間に制限されない実世界を反映したデータベースを構築することができる。複数端末により同一データベースが扱われることで時間や場所にとらわれないサービスが提供できる。また、実際のコミュニケーションにより評価された感情を通してデータベースを構築するため、実世界の人間関係を反映した情報管理が行える。
【０２６２】
また、上述した第１、第２の実施の形態においては、相手先特定手段としては、記録装置部１１の撮像部１１１とＣＰＵ１１５とにより実現したり、また、入力部１４と制御部１８とにより実現したり、また、図示しないが、マイクロホンで収音した音声を、例えば、記録装置部１１のＣＰＵなどで実行するプログラムによって音声認識するようにすることでも実現できる。
【０２６３】
また、生体情報検出手段は、主に記録装置部１１がその機能を実現する。また、蓄積手段は、主に、アドレス情報データベース２３が実現するようにしている。また、検索情報受付手段は、入力部１４が、また、検索手段は、サーバ装置２の制御部２１や情報蓄積検索装置７の制御部７００が実現し、検索結果の通知手段は、表示部１５が実現している。  また、種々の要求の送受信や検索結果などの送受信は、クライアント端末１の通信部１６とサーバ装置２の通信部２２により実現するようにしている。
【０２６４】
［４：変形例について］
（１）コミュニケーション相手の感情の蓄積と利用
コミュニケーション中に相手の感情も同時に蓄積することで、今後の相手の行動に働きかけるサービスが実現できる。例えば、自分が体験して感じた感情を勧める場合にふさわしい人物を検索したり、これから体験しようとするイベントを一緒に体験するのにふさわしい人物を検索したりすることなどができるようにされる。
【０２６５】
（２）積極的なコミュニケーション展開
個人ごとに存在するデータベースを連携させ、実際の人のつながりをトレースしながら適切な人物を検索する。例えば、野外イベントを他人に勧める場合、時間や場所に制限のあるものについては、利用者のデータベースに登録されている人物の範囲内では、感情による検索結果は適切であっても、時間や場所によって利用不可能となることもある。その場合には、友人の友人という関係まで検索対象を広げて、適切な人物を検索することができるようにされる。
【０２６６】
［５：その他］
［用いる生体情報の種類について］
上述した実施の形態においては、測定する生体情報としては、その一例として、脳波、心電、脈波、体温、筋電を用いるものとして説明したが、これに限るものではない。例えば、呼吸数や呼吸量等の呼吸情報、血圧情報、皮膚の発汗情報、皮膚抵抗情報、体動情報、脳磁図情報、瞳孔径、マイクロバイブレーション情報、生化学反応情報など種々のものを用いることが可能である。
【０２６７】
すなわち、用いることが可能な、生体情報としては、心拍情報、脈拍情報、呼吸情報、血圧情報、心電図情報、脳波情報、皮膚の発汗情報、皮膚抵抗情報、体動情報、脳磁図情報、筋電情報、体表面温度、瞳孔径の大きさ、マイクロバイブレーション情報、生化学反応情報などの種々のものの１つ以上を用いるようにし、この測定した生体情報を解析することにより、感情状態を把握するようにすればよい。
【０２６８】
また、人間の身体が自発的、誘発的に発する上述した生体情報を解析することにより、感情状態を把握する場合に限るものではない。例えば、所定のリズムで操作ボタンスイッチを一定時間、押下操作することを要求するようにし、所定のリズムに対するユーザの操作ボタンスイッチの押下操作リズムのずれを検出することにより、ユーザの感情の安定度や興奮度などを把握するようにしたり、また、所定時間内に操作ボタンスイッチをできるだけ多く押下操作することを要求するようにし、その押下操作の回数により、ユーザの感情の安定度や興奮度などを把握するようにしたりするなど、ユーザの操作入力を受け付けて、その入力情報に基づいて当該ユーザの感情状態を把握するようにしてもよい。
【０２６９】
すなわち、生体情報は、心拍、心電、脳波などのユーザの身体が自発的、誘発的に発する情報だけでなく、上述のように、押下ボタンスイッチの押下リズムや押下回数などのユーザの意思によって行われるユーザの動作から得られる情報も広義には生体情報であり、このようなユーザの能動的な動作から得られるユーザについての情報も生体情報として用いることが可能である。
【図面の簡単な説明】
【０２７０】
【図１】この発明による情報蓄積検索システム、情報検索システム、情報蓄積装置、情報検索装置、情報蓄積方法、情報検索方法の一実施の形態が適用された情報蓄積検索システムを説明するためのブロック図である。
【図２】図１に示したクライアント端末を説明するためのブロックである。
【図３】図２に示した記録装置部１１を説明するためのブロック図である。
【図４】図２に示した記録装置部１１の生体情報入力部１１７、Ａ／Ｄコンバータ１１８、生体情報入力コントローラ１１９について説明するためのブロック図である。
【図５】感情解析のためのモデルについて説明するための図である。
【図６】図１に示したサーバ装置を説明するためのブロック図である。
【図７】図６に示したサーバ装置のアドレス情報データベースに形成されるアドレス情報テーブル、コミュニケーション情報テーブルのデータ構造を説明するための図である。
【図８】図６に示したサーバ装置の公開情報データベースに蓄積されるデータのデータ構造を説明するための図である。
【図９】図１に示した情報蓄積検索システムにおけるコミュニケーション時の処理を説明するためのフローチャートである。
【図１０】図１に示した情報蓄積検索システムにおける検索時の処理を説明するためのフローチャートである。
【図１１】情報蓄積検索システムの他の構成例を説明するための図である。
【図１２】この発明による情報蓄積装置、情報検索装置、情報蓄積方法、情報検索方法の一実施の形態が適用された情報蓄積検索装置を説明するためのブロック図である。
【図１３】図１２に示した情報蓄積検索装置コミュニケーション時の処理と検索時の処理とを説明するためのフローチャートである。
【符号の説明】
【０２７１】
１…クライアント端末、１１…映像、音声、生体情報および感情記録装置部（記録装置部）、１１１…撮像部、１１２…Ａ／Ｄコンバータ、１１３…撮像部信号処理部、１１４…撮像部コントローラ、１１５…ＣＰＵ、１１６…ＲＡＭ、１１７…生体情報入力部、１１８…Ａ／Ｄコンバータ、１１９…生体情報入力部コントローラ、１２０…感情解析処理部、１２１…記録部コントローラ、１２２…記録部、１２３…ネットワークインターフェイス、１２４…表示部コントローラ、１２５…表示部、１２…通信情報蓄積部、１３…作業ファイル、１４…入力部、１５…表示部、１６…通信部、１７…外部機器インターフェイス、１８…制御部、１８１…ＣＰＵ、１８２…ＲＯＭ、１８３…ＲＡＭ、１８４…ＥＥＰＲＯＭ、１８５…システムバス、１９１…ＧＰＳ、１９２…気温センサ、２…サーバ装置、２１…制御部、２１１…ＣＰＵ、２１２…ＲＯＭ、２１３…ＲＡＭ、２１４…ＥＥＰＲＯＭ、２１５…システムバス、２２…通信部、２３…アドレス情報データベース、２４…公開情報データベース、３…認証局、４…情報提供機関
【図１】
2005044120.tif 000003
【図２】
2005044120.tif 000004
【図３】
2005044120.tif 000005
【図４】
2005044120.tif 000006
【図５】
2005044120.tif 000007
【図６】
2005044120.tif 000008
【図７】
2005044120.tif 000009
【図８】
2005044120.tif 000010
【図９】
2005044120.tif 000011
【図１０】
2005044120.tif 000012
【図１１】
2005044120.tif 000013
【図１２】
2005044120.tif 000014
【図１３】
2005044120.tif 000015